(57)【要約】 【課題】  画面の高精細化とサイズが小型化された際にも高精細な画面表示を行うことが出来るＰＤＰを提供する。【解決手段】  行電極対の行電極Ｘ１と行電極Ｙ１の透明電極Ｘ１ｂ，Ｙ１ｂ間の放電ギャップｇ１〜ｇ３に対向する部分の放電空間に、列方向の幅が大きい第１放電セルＣ１Ｒと、この第１放電セルＣ１Ｒの側方部に列方向に並設されて、第１放電セルの列方向の幅よりも小さい列方向の幅を有する第２放電セルと第３放電セルが形成され、この第１放電セルＣ１Ｒ，第２放電セルＣ１Ｇ，第３放電セルＣ１Ｂにそれぞれ赤，緑，青の蛍光体層が形成されているとともに、この三個の放電セルによって一個の画素Ｐ１が構成されている。【選択図】      図３
2006351239.tif 000002
【特許請求の範囲】
【請求項１】
放電空間を挟んで対向する一対の基板と、
この一対の基板の間に配置されて行方向に延び列方向に並設される複数の行電極対および列方向に延び行方向に並設される列電極とを有し、
前記行電極対を構成する対になった第１行電極と第２行電極が、それぞれ、互いに所要の間隔を開けて行方向に延びる行電極本体部と、この行電極本体部から対になっている他方の行電極本体部の側に突出して互いに放電ギャップを介して対向される行電極突出部とを有し、
前記第１行電極と第２行電極の行電極突出部間の放電ギャップに対向する部分の放電空間に、行方向の幅と列方向の幅のうちの一方の幅が他方の幅よりも大きい第１放電セルと、この第１放電セルの一方の幅方向の側方部にこの一方の幅方向に沿って並設されて、それぞれ、第１放電セルの一方の幅方向と平行な方向の幅が第１放電セルの一方の幅よりも小さい第２放電セルおよび第３放電セルが形成され、
前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されている、
ことを特徴とするプラズマディスプレイパネル。
【請求項２】
前記一方の幅が列方向の幅であり、他方の幅が行方向の幅であり、第２放電セルと第３放電セルが列方向に沿って並設されている請求項１に記載のプラズマディスプレイパネル。
【請求項３】
前記一方の幅が行方向の幅であり、他方の幅が列方向の幅であり、第２放電セルと第３放電セルが行方向に沿って並設されている請求項１に記載のプラズマディスプレイパネル。
【請求項４】
前記第１放電セルが略長方形状を有し、第２放電セルと第３放電セルが、長手方向が第１放電セルの長手方向と直交する方向に延びている略長方形状を有している請求項１に記載のプラズマディスプレイパネル。
【請求項５】
前記第１放電セルが、側縁の第２放電セルに対向する一方の半部分と第３放電セルに対向する他方の半部分とが互いに逆方向に傾斜した略五角形状を有し、第２放電セルが、第１放電セルの側縁の一方の半部分に対向する側縁がこの一方の半部分と同一方向に傾斜した略台形状を有し、第３放電セルが、第１放電セルの側縁の他方の半部分に対向する側縁がこの他方の半部分と同一方向に傾斜した略台形状を有している請求項１に記載のプラズマディスプレイパネル。
【請求項６】
前記第２放電セルと第３放電セルが、一方向の幅と他方向の幅がほぼ等しい略正方形状を有している請求項１に記載のプラズマディスプレイパネル。
【請求項７】
前記第２放電セルと第３放電セルの第１放電セルの長手方向と平行な方向の幅が、第１放電セルの長手方向の幅の二分の一よりも小さい値に設定されている請求項１に記載のプラズマディスプレイパネル。
【請求項８】
前記第２放電セルと第３放電セルのそれぞれの第１放電セルの長手方向と平行な方向の幅の和の値が、第１放電セルの長手方向の幅よりも大きくなっている請求項１に記載のプラズマディスプレイパネル。
【請求項９】
行方向において互いに隣接する前記画素において、第１放電セルに対する第２放電セルと第３放電セルの配置が、同じ配置になっている請求項１に記載のプラズマディスプレイパネル。
【請求項１０】
行方向において互いに隣接する前記画素において、第１放電セルに対する第２放電セルと第３放電セルの配置が、互いに逆の配置になっている請求項１に記載のプラズマディスプレイパネル。
【請求項１１】
前記第１放電セル内に赤の蛍光体層が形成され、第２放電セルと第３放電セル内に、緑と青の蛍光体層がそれぞれ形成されている請求項１に記載のプラズマディスプレイパネル。
【請求項１２】
前記一対の基板の間の行電極対に対向する部分に、第１行電極と第２行電極の行電極本体部にそれぞれ対向する位置において行方向に延びる第１横壁部と、行方向に互いに隣接する画素の間の位置において行電極本体部に対向する第１横壁部間を列方向に延びる第１縦壁部と、画素内の第１放電セルと第２放電セルおよび第３放電セルの間の位置において行電極本体部に対向する第１横壁部間を列方向に延びる第２縦壁部と、画素内の第２放電セルと第３放電セルの間の位置において第１縦壁部と第２縦壁部間を行方向に延びる第２横壁部とを有する隔壁が形成され、
この隔壁によって、一対の基板の間の放電空間が、第１放電セルと第２放電セルと第３放電セルにそれぞれ区画されている請求項２に記載のプラズマディスプレイパネル。
【請求項１３】
前記一対の基板の間の行電極対に対向する部分に、第１行電極と第２行電極の行電極本体部にそれぞれ対向する位置において行方向に延びる第１横壁部と、行方向に互いに隣接する画素の間の位置において行電極本体部に対向する第１横壁部間を列方向に延びる第１縦壁部と、画素内の第１放電セルと第２放電セルおよび第３放電セルの間の位置において隣接する第１縦壁部間を行方向に延びる第２横壁部と、画素内の第２放電セルと第３放電セルの間の位置において一方の第１横壁部と第２横壁部間を列方向に延びる第２縦壁部とを有する隔壁が形成され、
この隔壁によって、一対の基板の間の放電空間が、第１放電セルと第２放電セルと第３放電セルにそれぞれ区画されている請求項３に記載のプラズマディスプレイパネル。
【請求項１４】
前記一対の基板の間の行電極対に対向する部分に、第１行電極と第２行電極の行電極本体部にそれぞれ対向する位置において行方向に延びる第１横壁部と、行方向に互いに隣接する画素の間の位置において行電極本体部に対向する第１横壁部間を列方向に延びる第１縦壁部と、画素内の第２放電セルと第３放電セルの間の位置において第１縦壁部から画素内の中央部まで延びる第２横壁部と、画素内の第１放電セルと第２放電セルの間の位置において第２横壁部の先端部と一方の第１横壁部との間を列方向に対して第２放電セルの第１放電セルに対向する側縁と同じ側に傾斜する方向に延びる第２縦壁部と、画素内の第１放電セルと第３放電セルの間の位置において第２横壁部の先端部と他方の第１横壁部との間を列方向に対して第３放電セルの第１放電セルに対向する側縁と同じ側に傾斜する方向に延びる第３縦壁部とを有する隔壁が形成され、
この隔壁によって、一対の基板の間の放電空間が、第１放電セルと第２放電セルと第３放電セルにそれぞれ区画されている請求項５に記載のプラズマディスプレイパネル。
【請求項１５】
前記行電極対の第１行電極と第２行電極のそれぞれの行電極突出部が、それぞれの行電極本体部の間のほぼ中央部において第１の放電ギャップを介して互いに対向する第１の放電部と、この第１の放電部に対して行方向にずれているとともに一方の行電極本体部側に近接する位置において第２の放電ギャップを介して互いに対向する第２の放電部と、第１の放電部に対して行方向の第２の放電部と同じ側にずれているとともに他方の行電極本体部側に近接する位置において第３の放電ギャップを介して互いに対向する第３の放電部とを有し、
前記第１放電セルが放電空間の第１の放電部および第１の放電ギャップに対向する部分に形成され、第２放電セルが放電空間の第２の放電部および第２の放電ギャップに対向する部分に形成され、第３放電セルが放電空間の第３の放電部および第３の放電ギャップに対向する部分に形成されている請求項１に記載のプラズマディスプレイパネル。  
【請求項１６】
前記行電極対の第１行電極と第２行電極の行電極突出部が、それぞれ、行電極本体部から互いに他方の行電極本体部側に突出して第１の放電ギャップを介して互いに対向する第１の放電部を構成する第１行電極突出部と、行電極本体部の第１の行電極突出部に隣接する位置から互いに他方の行電極本体部側に突出して、一方の行電極本体部側に近接する一部分が第２の放電ギャップを介して互いに対向する第２の放電部を構成し、他方の行電極本体部側に近接する他の部分が第３の放電ギャップを介して互いに対向する第３の放電部を構成する第２行電極突出部とを有している請求項１５に記載のプラズマディスプレイパネル。
【請求項１７】
前記行電極対の第１行電極と第２行電極の行電極突出部が、それぞれ、行電極本体部から互いに他方の行電極本体部側に突出して、それぞれの行電極本体部の間のほぼ中央部に位置する一部分が第１の放電ギャップを介して互いに対向する第１の放電部を構成し、この第１の放電部を構成する一部分に対して行方向にずれているとともに一方の行電極本体部側に近接する他の一部分が第２の放電ギャップを介して互いに対向する第２の放電部を構成し、第１の放電部を構成する一部分に対して行方向の第２の放電部と同じ側にずれているとともに他方の行電極本体部側に近接する他の一部分が第３の放電ギャップを介して互いに対向する第３の放電部を構成している請求項１５に記載のプラズマディスプレイパネル。
【請求項１８】
前記行電極対の第１行電極の行電極突出部が、行電極本体部から第２行電極の行電極本体部側に突出して行方向における両側の側部分がそれぞれ第１の放電部を構成する第１行電極突出部と、この第１行電極突出部と交互に行電極本体部に接続されて、第１行電極と第２行電極のうちの一方の行電極の行電極本体部に近接する側の行方向における両側の側部分がそれぞれ第２の放電部を構成し、他方の行電極の行電極本体部に近接する側の行方向における両側の側部分がそれぞれ第３の放電部を構成する第２行電極突出部とを有し、
前記第２行電極の行電極突出部が、第１行電極の第１行電極突出部と第２行電極突出部の間の位置において行電極本体部から第１行電極の行電極本体部側に突出して、第１行電極の第１行電極突出部に対向する側の側部分が第１行電極突出部の第１の放電部と第１の放電ギャップを介して対向する第１の放電部を構成し、第１行電極の第２行電極突出部に対向する側の側部の第１行電極と第２行電極のうちの一方の行電極の行電極本体部に近接する一部分が、第２行電極突出部の第２の放電部と第２の放電ギャップを介して対向する第２の放電部を構成し、第１行電極の第２行電極突出部に対向する側の側部の第１行電極と第２行電極のうちの他方の行電極の行電極本体部に近接する他の一部分が、第２行電極突出部の第３の放電部と第３の放電ギャップを介して対向する第３の放電部を構成している請求項１５に記載のプラズマディスプレイパネル。
【請求項１９】
前記行電極対の第１行電極と第２行電極の行電極突出部が、それぞれ、行電極本体部から互いに交互に他方の行電極本体部側に突出して、それぞれの他の行電極の行電極突出部に対向する一方の側の側部分が第１の放電ギャップを介して互いに対向する第１の放電部を構成し、他方の側の側部分の第１行電極と第２行電極のうちの一方の行電極の行電極本体部に近接する部分が第２の放電ギャップを介して互いに対向する第２の放電部を構成し、他方の側の側部分の第１行電極と第２行電極のうちの他方の行電極の行電極本体部に近接する部分が第３の放電ギャップを介して互いに対向する第３の放電部を構成している請求項１５に記載のプラズマディスプレイパネル。
【請求項２０】
前記行電極対の第１行電極の行電極突出部が、行電極本体部から第２行電極の行電極本体部側に突出して、第２行電極の行電極本体部に近接する一部分が第１の放電部を構成し、第１行電極の行電極本体部に近接する側の行方向における一方の側の側部分が第２の放電部を構成し、他方の側の側部分が第３の放電部を構成し、
前記第２行電極の行電極突出部が、行電極本体部から第１行電極の行電極本体部側に突出して、第１行電極の行電極本体部に対向する一部分が第１の放電ギャップを介して第１行電極の第１の放電部に対向される第１の放電部を構成し、第１行電極の隣接する行電極突出部間に位置されて第１行電極の行電極本体部に近接する部分の行方向における一方の側の側部分が第２の放電ギャップを介して第１行電極の第２の放電部に対向される第２の放電部を構成し、他方の側の側部分が第３の放電ギャップを介して第１行電極の第３の放電部に対向される第３の放電部を構成している請求項１５に記載のプラズマディスプレイパネル。
【請求項２１】
前記行電極対の第１行電極の行電極突出部が、行電極本体部から第２行電極の行電極本体部側に突出して、行方向における一方の側の一部分が第１の放電部を構成し、他方の側の側部の第１行電極の行電極本体部に近接する一部分が第２の放電部を構成し、第２行電極の行電極本体部に近接する他の一部分が第３の放電部を構成し、
前記第２行電極の行電極突出部が、第１行電極の第１の放電部に対向する位置において行電極本体部から第１行電極の行電極本体部側に突出して、第１の放電ギャップを介して第１行電極の第１の放電部に対向する第１の放電部を構成する第１行電極突出部と、第１行電極の隣接する第１行電極突出部の間の位置において行電極本体部から第１行電極の行電極本体部側に突出して、第１行電極の行電極突出部の他方の側部に対向する側の側部の第１行電極の行電極本体部に近接する一部分が、第２の放電ギャップを介して第１行電極の第２の放電部に対向する第２の放電部を構成し、第２行電極の行電極本体部に近接する他の一部分が第３の放電ギャップを介して第１行電極の第３の放電部に対向する第３の放電部を構成する第２行電極突出部とを有している請求項１５に記載のプラズマディスプレイパネル。
【請求項２２】
前記行電極対の第１行電極の行電極突出部が、行電極本体部から第２行電極の行電極本体部側に突出して、第２行電極の行電極本体部に対向する部分が行方向に並んだ一対の第１の放電部を構成し、行方向における両側の側部の第１行電極の行電極本体部に近接する一部分がそれぞれ第２の放電部を構成し、第２行電極の行電極本体部に近接する他の一部分がそれぞれ第３の放電部を構成し、
前記第２行電極の行電極突出部が、第１行電極の一対の第１の放電部に対向する位置において行電極本体部から第１行電極の行電極本体部側に突出して、第１行電極の行電極本体部に対向する部分がそれぞれ第１の放電ギャップを介して第１行電極の一対の第１の放電部に対向する一対の第１の放電部を構成する第１行電極突出部と、第１行電極の隣接する第１行電極突出部の間の位置において行電極本体部から第１行電極の行電極本体部側に突出して、第１行電極の行電極本体部に近接する側の行方向における両側の側部分がそれぞれ第２の放電ギャップを介して第１行電極の第２の放電部に対向する第２の放電部を構成し、第２行電極の行電極本体部に近接する側の行方向における両側の側部分がそれぞれ第３の放電ギャップを介して第１行電極の第３の放電部に対向する第３の放電部を構成する第２行電極突出部とを有している請求項１５に記載のプラズマディスプレイパネル。
【請求項２３】
前記行電極対の第１行電極と第２行電極のそれぞれの第１の放電部と第２の放電部と第３の放電部が、何れも、行方向に対して平行に延びる第１の放電ギャップ，第２の放電ギャップ，第３の放電ギャップを介して、それぞれ互いに対向されている請求項１５に記載のプラズマディスプレイパネル。
【請求項２４】
前記行電極対の第１行電極と第２行電極の各放電部のうち、少なくとも第２の放電部と第３の放電部が、行方向に対して傾斜する方向に延びる第２の放電ギャップ，第３の放電ギャップを介して、それぞれ互いに対向されている請求項１５に記載のプラズマディスプレイパネル。
【請求項２５】
前記第２の放電ギャップと第３の放電ギャップの行方向に対する傾斜角度が、それぞれ、４５度ないし６０度の角度に設定されている請求項２４に記載のプラズマディスプレイパネル。
【請求項２６】
前記第２の放電ギャップと第３の放電ギャップが、行方向に対して互いに逆方向に傾斜している請求項２４に記載のプラズマディスプレイパネル。
【請求項２７】
前記行電極対の第１行電極と第２行電極のそれぞれの第１の放電部と第２の放電部と第３の放電部が、何れも、行方向に対して傾斜する方向に延びる第１の放電ギャップ，第２の放電ギャップ，第３の放電ギャップを介して、それぞれ互いに対向されている請求項１５に記載のプラズマディスプレイパネル。
【請求項２８】
前記第１の放電ギャップの第１行電極の行電極本体部側に近接する部分と第２行電極の行電極本体部側に近接する部分が、行方向に対して互いに逆方向に傾斜している請求項２６に記載のプラズマディスプレイパネル。
【請求項２９】
前記列電極が、それぞれ列方向に延びて、第１の放電ギャップに対向される第１の列電極と、第２の放電ギャップに対向される第２の列電極と、第３の放電ギャップに対向される第３の列電極とを有している請求項１５に記載のプラズマディスプレイパネル。
【請求項３０】
前記第２の列電極と第３の列電極が、それぞれ、列方向に延びる列電極本体部と、この列電極本体部から第２の放電ギャップまたは第３の放電ギャップに対向する位置に向かって行方向に延びる列電極突出部とを有している請求項２８に記載のプラズマディスプレイパネル。
【請求項３１】
前記第２の列電極の列電極突出部と第３の列電極の列電極突出部が、行方向において互いに反対方向に延びている請求項２９に記載のプラズマディスプレイパネル。
【請求項３２】
前記一対の基板のうちのパネル面を構成する側の基板の背面側に、第１放電セルおよび第２放電セル，第３放電セルに対向する部分以外の部分に対向される黒色または暗色の光吸収層が形成されている請求項１に記載のプラズマディスプレイパネル。
【請求項３３】
放電空間を挟んで対向する一対の基板と、
この一対の基板の間に配置されて行方向に延び列方向に並設される複数の行電極対および列方向に延び行方向に並設される列電極とを有し、
前記行電極対を構成する対になった第１行電極と第２行電極が、それぞれ、互いに所要の間隔を開けて行方向に延びる行電極本体部と、この行電極本体部から対になっている他方の行電極本体部の側に突出して互いに放電ギャップを介して対向される行電極突出部とを有し、
前記第１行電極と第２行電極の行電極突出部間の放電ギャップに対向する部分の放電空間に、行方向の幅が列方向の幅よりも大きい第１放電セルと、この第１放電セルに対して列方向において隣接するとともに行方向に沿って並設されて、それぞれ、行方向の幅が第１放電セルの行方向の幅よりも小さい第２放電セルおよび第３放電セルが形成され、
前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されている、
ことを特徴とするプラズマディスプレイパネル。
【請求項３４】
放電空間を挟んで対向する一対の基板と、
この一対の基板の間に配置されて行方向に延び列方向に並設される複数の行電極対および列方向に延び行方向に並設される列電極とを有し、
前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、
前記第１行電極の行電極突出部と第２行電極の行電極突出部が、行方向において交互に配置されて、それぞれ、一方の側において隣接する他方の行電極の行電極突出部との間に行方向に沿って延びる第１の放電ギャップを形成するとともに、他方の側において隣接する他方の行電極の行電極突出部との間に列方向に沿って延びる第２の放電ギャップを形成し、
前記第１の放電ギャップに対向する部分の放電空間に列方向の幅が行方向の幅よりも大きい第１放電セルが形成され、第２の放電ギャップのそれぞれ一部に対向する部分の放電空間に、第１放電セルに対して行方向において隣接するとともに列方向に沿って並設されて、それぞれ、列方向の幅が第１放電セルの列方向の幅よりも小さい第２放電セルおよび第３放電セルが形成され、
前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されている、
ことを特徴とするプラズマディスプレイパネル。
【請求項３５】
放電空間を挟んで対向する一対の基板と、
この一対の基板の間に配置されて行方向に延び列方向に並設される複数の行電極対および列方向に延び行方向に並設される列電極とを有し、
前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、
前記第１行電極の行電極突出部と第２行電極の行電極突出部が、互いの間に、行方向に沿って延びる第１の放電ギャップと、第１行電極の行電極本体部と第２行電極の行電極本体部の間のほぼ中間位置から列方向に沿って上方に一方の方向に傾斜しながら延びる第２の放電ギャップおよび列方向に沿って下方に他方の方向に傾斜しながら延びる第３の放電ギャップとを形成し、
前記第１の放電ギャップと、互いに列方向に並んだ第２の放電ギャップおよび第３の放電ギャップとが、行方向において交互に位置されて、第１の放電ギャップに対向する部分の放電空間に第１放電セルが形成され、第２の放電ギャップに対向する部分の放電空間に第２放電セルが形成され、第３の放電ギャップに対向する部分の放電空間に第３放電セルが形成されて、第２放電セルと第３放電セルが列方向に並設されて第１放電セルに対して行方向において隣接され、
前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されている、
ことを特徴とするプラズマディスプレイパネル。
【請求項３６】
放電空間を挟んで対向する一対の基板と、
この一対の基板の間に配置されて行方向に延び列方向に並設される複数の行電極対および列方向に延び行方向に並設される列電極とを有し、
前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、
前記第１行電極の行電極突出部と第２行電極の行電極突出部が、互いの間に、行方向に沿って延びる第１の放電ギャップと、この第１の放電ギャップの行方向の一方の側の隣接位置において第１行電極の行電極本体部と第２行電極の行電極本体部の間のほぼ中間位置から列方向に沿って上方に一方の方向に傾斜しながら延びる第２の放電ギャップおよび列方向に沿って下方に他方の方向に傾斜しながら延びる第３の放電ギャップと、第１の放電ギャップの行方向の他方の側の隣接位置において第１行電極の行電極本体部と第２行電極の行電極本体部の間のほぼ中間位置から列方向の沿って下方に一方の方向に傾斜しながら延びる第４の放電ギャップおよび列方向に沿って上方に他方の方向に傾斜しながら延びる第５の放電ギャップとを形成し、
前記第１の放電ギャップの一方の側の一部に対向する部分の放電空間に第１放電セルが形成され、第２の放電ギャップに対向する部分の放電空間に第２放電セルが形成され、第３の放電ギャップに対向する部分の放電空間に第３放電セルが形成されて、第２放電セルと第３放電セルが列方向に並設されて第１放電セルに対して行方向において隣接され、
前記第１の放電ギャップの他方の側の一部に対向する部分の放電空間に第４放電セルが形成され、第４の放電ギャップに対向する部分の放電空間に第５放電セルが形成され、第５の放電ギャップに対向する部分の放電空間に第６放電セルが形成されて、第５放電セルと第６放電セルが列方向に並設されて第４放電セルに対して行方向において隣接され、
前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の第１画素が構成され、
前記第４放電セルおよび第５放電セル，第６放電セルに、それぞれ、赤または緑，青の蛍光体層が形成されているとともに、この第４放電セルおよび第５放電セル，第６放電セルの三個の放電セルによって一個の第２画素が構成されて、
前記第１画素と第２画素が行方向において交互に配置されている、
ことを特徴とするプラズマディスプレイパネル。
【発明の詳細な説明】
【技術分野】
【０００１】
この発明は、面放電方式交流型プラズマディスプレイパネルのパネル構造に関する。
【背景技術】
【０００２】
図１は、従来の面放電方式交流型プラズマディスプレイパネル（以下、ＰＤＰという）のセル構造を模式的に示す正面図である。
【０００３】
この図１の従来のＰＤＰは、前面ガラス基板（図示せず）の背面側に、行方向に延び列方向に並設されてそれぞれ表示ラインＬを形成する複数の行電極対（Ｘ，Ｙ）が形成されて、誘電体層（図示せず）によって被覆されている。
【０００４】
この行電極対（Ｘ，Ｙ）を構成する行電極Ｘ，Ｙは、それぞれ、行方向に帯状に延びる金属膜からなるバス電極Ｘａ，Ｙａと、このバス電極Ｘａ，Ｙａに沿った等間隔位置からそれぞれ対になっている相手の行電極の方向に列方向に突出して、互いに放電ギャップｇを介して対向される透明電極Ｘｂ，Ｙｂとによって構成されている。
【０００５】
前面ガラス基板と放電空間を挟んで対向する背面ガラス基板（図示せず）側に、列方向に延びる列電極Ｄが、行方向に並設されて、それぞれ行電極Ｘ，Ｙの透明電極Ｘｂ，Ｙｂに対向されている。
【０００６】
そして、列方向に延びる縦壁Ｗａと行方向に延びる横壁Ｗｂによって略格子形状に形成された隔壁Ｗが、前面ガラス基板と背面ガラス基板との間に形成されて、この隔壁Ｗによって、前面ガラス基板と背面ガラス基板の間の放電空間が、行電極対（Ｘ，Ｙ）の互いに対になっている透明電極ＸｂとＹｂに対向する部分に形成される放電セルＣＲ，ＣＧ，ＣＢ毎に、行方向と列方向にマトリクス状に区画されている。
【０００７】
この隔壁Ｗによって区画された放電セルＣＲ内の背面ガラス基板上には赤色の蛍光体層（図示せず）が形成され、放電セルＣＧ内の背面ガラス基板上には緑色の蛍光体層（図示せず）が形成され、放電セルＣＢ内の背面ガラス基板上には青色の蛍光体層（図示せず）が形成されている。
【０００８】
そして、この放電セルＣＲ，ＣＢ，ＣＧは、行方向に順に並ぶように配列されていて、行方向において互いに隣接する三個の放電セルＣＲ，ＣＢ，ＣＧによって、一個の画素Ｐが構成されている。
前面ガラス基板と背面ガラス基板の間の放電空間内には、キセノン・ガスを含む放電ガスが充填されている。
【０００９】
上記のＰＤＰにおける画像形成は、以下のようにして行われる。
すなわち、リセット期間の後のアドレス期間において、各放電セルＣにおいて行電極対（Ｘ，Ｙ）の行電極Ｙと列電極Ｄとの間で選択的にアドレス放電が行われ、発光セル（誘電体層に壁電荷が形成された放電セル）と非発光セル（誘電体層に壁電荷が形成されていない放電セル）とが、映像信号の画像データに対応してパネル面に分布される。
【００１０】
次のサステイン放電期間に、全表示ラインＬにおいて行電極対（Ｘ，Ｙ）の行電極ＸとＹに対して交互にサステイン・パルスが印加されて、このサステイン・パルスが印加される毎に各発光セル内において行電極ＸとＹの間でサステイン放電が発生される。
【００１１】
そして、このサステイン放電によって、放電空間内の放電ガスから真空紫外線が発生され、各放電セルＣ内の赤，緑，青に色分けされた蛍光体層が、それぞれ放電ガスから発生する真空紫外線によって励起されて可視光を発光することにより、マトリクス表示による画像がパネル面に形成される。
【００１２】
このような構成のＰＤＰに対して、近年、画面の高精細化の要求が高まっており、例えば、従来は５０インチクラスのＰＤＰについて、１２８０×７６８のＨＤ表示の精細度で充分であったものが、１９８０×１０８０のフルＨＤ表示やそれ以上の精細度が要求されるようになって来ている。
【００１３】
また、ＰＤＰは、これまで大型ディスプレイパネルとしてクローズアップされてきたが、将来は、例えば２５インチクラスの中型サイズのモニタ・ディスプレイとして使用したいという要求も高くなって来ている。
【００１４】
ＰＤＰは、もともと大型のディスプレイ用として開発されてきたものであり、画面が４０インチ以上の大型ディスプレイパネルにおいては、必要なサイズの画素Ｐの形成が容易である。
【００１５】
しかしながら、例えば２５インチクラスのＰＤＰにおいてフルＨＤ表示の高精細度の画面を実現するためには、各画素のサイズを大幅に縮小する必要があり、そのために、著しく発光効率が低下してしまうという問題が発生する。
【００１６】
例えば、２５インチクラスのＰＤＰにおいてフルＨＤ（１９８０×１０８０）表示の高精細画面を実現するためには、現在の５０インチサイズのＰＤＰに用いられている約８００（μｍ）×８００（μｍ）の画素Ｐの面積を、その７分の１の約３００（μｍ）×３００（μｍ）の面積に設定する必要がある。
【００１７】
そして、ＰＤＰにおいて高い発光効率を保ちながら安定したプラズマ放電を行うためには、画素Ｐの面積を所要の寸法以上に設定してプラズマ放電領域を確保する必要があり、このために、画素Ｐのサイズを小さくするには限界がある。
【００１８】
図２は、従来のＰＤＰの一画素の構成を示したものであり、この画素Ｐを構成する放電セルＣＲ，ＣＢ，ＣＧは、それぞれ同じ面積を有している。
【００１９】
そして、図２において、Ａは画素Ｐの行方向の一辺の長さを表わしており、ａは各放電セルＣＲ，ＣＢ，ＣＧの行方向の幅を、ｂは放電セルＣＲ，ＣＢ，ＣＧの列方向の幅を、ｔは行方向において隣接する各放電セルＣＲ，ＣＢ，ＣＧ間を区画する隔壁Ｗの縦壁Ｗａの行方向の幅を、それぞれ表わしている。
【００２０】
この図２のような行方向が短く列方向が長い略長方形状の放電セルＣＲ，ＣＢ，ＣＧによって構成される画素Ｐは、実験の結果、各放電セルＣＲ，ＣＢ，ＣＧにおいて高い発光効率が確保されるようにするためには、行方向の長さａは最低１００μｍは必要であり、列方向の長さｂも１５０μｍ以上は必要であり、長さａが１００μｍよりも小さくなると、発光効率が極端に悪化してしまうことが分かっている。
【００２１】
さらに、各放電セルＣＲ，ＣＢ，ＣＧ間を区画する縦壁Ｗａの幅ｔも、互いに隣接する放電セルＣＲ，ＣＢ，ＣＧ間を確実に区画するために、最低でも４０μｍ以上は必要でなる。
【００２２】
従って、図２の画素Ｐにおいて高い発光効率を確保しようとすると、必要な行方向の幅Ａは、
Ａ＝３ａ＋２ｔ
の式から、３８０μｍ以上となる。
【００２３】
すなわち、従来のＰＤＰの画素構造では、例えば２５インチクラスのディスプレイパネルにおいてフルＨＤ（１９８０×１０８０）表示の画面を実現するために必要な３００μｍ×３００μｍの画素サイズを確保することは出来ない。
【発明の開示】
【発明が解決しようとする課題】
【００２４】
この発明は、上記のような従来のＰＤＰにおける画面の高精細化および画面の小型化を図る際に生じる問題点を解決することを、その課題の一つとしている。
【課題を解決するための手段】
【００２５】
上記目的を達成するために、この発明（請求項１に記載の発明）によるＰＤＰは、放電空間を挟んで対向する一対の基板と、この一対の基板の間に配置されて行方向に延び列方向に並設される複数の行電極対および列方向に延び行方向に並設される列電極とを有し、前記行電極対を構成する対になった第１行電極と第２行電極が、それぞれ、互いに所要の間隔を開けて行方向に延びる行電極本体部と、この行電極本体部から対になっている他方の行電極本体部の側に突出して互いに放電ギャップを介して対向される行電極突出部とを有し、前記第１行電極と第２行電極の行電極突出部間の放電ギャップに対向する部分の放電空間に、行方向の幅と列方向の幅のうちの一方の幅が他方の幅よりも大きい第１放電セルと、この第１放電セルの一方の幅方向の側方部にこの一方の幅方向に沿って並設されて、それぞれ、第１放電セルの一方の幅方向と平行な方向の幅が第１放電セルの一方の幅よりも小さい第２放電セルおよび第３放電セルが形成され、前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されていることを特徴としている。
【００２６】
さらに、前記目的を達成するために、この発明（請求項３２に記載の発明）によるＰＤＰは、放電空間を挟んで対向する一対の基板と、この一対の基板の間に配置されて行方向に延び列方向に並設される複数の行電極対および列方向に延び行方向に並設される列電極とを有し、前記行電極対を構成する対になった第１行電極と第２行電極が、それぞれ、互いに所要の間隔を開けて行方向に延びる行電極本体部と、この行電極本体部から対になっている他方の行電極本体部の側に突出して互いに放電ギャップを介して対向される行電極突出部とを有し、前記第１行電極と第２行電極の行電極突出部間の放電ギャップに対向する部分の放電空間に、行方向の幅が列方向の幅よりも大きい第１放電セルと、この第１放電セルに対して列方向において隣接するとともに行方向に沿って並設されて、それぞれ、行方向の幅が第１放電セルの行方向の幅よりも小さい第２放電セルおよび第３放電セルが形成され、前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されていることを特徴としている。
【００２７】
さらに、前記目的を達成するために、この発明（請求項３３に記載の発明）によるＰＤＰは、放電空間を挟んで対向する一対の基板と、この一対の基板の間に配置されて行方向に延び列方向に並設される複数の行電極対および列方向に延び行方向に並設される列電極とを有し、前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、前記第１行電極の行電極突出部と第２行電極の行電極突出部が、行方向において交互に配置されて、それぞれ、一方の側において隣接する他方の行電極の行電極突出部との間に行方向に沿って延びる第１の放電ギャップを形成するとともに、他方の側において隣接する他方の行電極の行電極突出部との間に列方向に沿って延びる第２の放電ギャップを形成し、前記第１の放電ギャップに対向する部分の放電空間に列方向の幅が行方向の幅よりも大きい第１放電セルが形成され、第２の放電ギャップのそれぞれ一部に対向する部分の放電空間に、第１放電セルに対して行方向において隣接するとともに列方向に沿って並設されて、それぞれ、列方向の幅が第１放電セルの列方向の幅よりも小さい第２放電セルおよび第３放電セルが形成され、前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されていることを特徴としている。
【００２８】
さらに、前記目的を達成するために、この発明（請求項３４に記載の発明）によるＰＤＰは、放電空間を挟んで対向する一対の基板と、この一対の基板の間に配置されて行方向に延び列方向に並設される複数の行電極対および列方向に延び行方向に並設される列電極とを有し、前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、前記第１行電極の行電極突出部と第２行電極の行電極突出部が、互いの間に、行方向に沿って延びる第１の放電ギャップと、第１行電極の行電極本体部と第２行電極の行電極本体部の間のほぼ中間位置から列方向に沿って上方に一方の方向に傾斜しながら延びる第２の放電ギャップおよび列方向に沿って下方に他方の方向に傾斜しながら延びる第３の放電ギャップとを形成し、前記第１の放電ギャップと、互いに列方向に並んだ第２の放電ギャップおよび第３の放電ギャップとが、行方向において交互に位置されて、第１の放電ギャップに対向する部分の放電空間に第１放電セルが形成され、第２の放電ギャップに対向する部分の放電空間に第２放電セルが形成され、第３の放電ギャップに対向する部分の放電空間に第３放電セルが形成されて、第２放電セルと第３放電セルが列方向に並設されて第１放電セルに対して行方向において隣接され、前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の画素が構成されていることを特徴としている。
【００２９】
前記目的を達成するために、この発明（請求項３５に記載の発明）によるＰＤＰは、放電空間を挟んで対向する一対の基板と、この一対の基板の間に配置されて行方向に延び列方向に並設される複数の行電極対および列方向に延び行方向に並設される列電極とを有し、前記行電極対を構成する対になった第１行電極と第２行電極が、それぞれ、互いに所要の間隔を開けて行方向に延びる行電極本体部と、この行電極本体部から対になっている他方の行電極本体部の側に突出する行電極突出部とを有し、前記第１行電極の行電極突出部と第２行電極の行電極突出部が、互いの間に、行方向に沿って延びる第１の放電ギャップと、この第１の放電ギャップの行方向の一方の側の隣接位置において第１行電極の行電極本体部と第２行電極の行電極本体部の間のほぼ中間位置から列方向に沿って上方に一方の方向に傾斜しながら延びる第２の放電ギャップおよび列方向に沿って下方に他方の方向に傾斜しながら延びる第３の放電ギャップと、第１の放電ギャップの行方向の他方の側の隣接位置において第１行電極の行電極本体部と第２行電極の行電極本体部の間のほぼ中間位置から列方向の沿って下方に一方の方向に傾斜しながら延びる第４の放電ギャップおよび列方向に沿って上方に他方の方向に傾斜しながら延びる第５の放電ギャップとを形成し、前記第１の放電ギャップの一方の側の一部に対向する部分の放電空間に第１放電セルが形成され、第２の放電ギャップに対向する部分の放電空間に第２放電セルが形成され、第３の放電ギャップに対向する部分の放電空間に第３放電セルが形成されて、第２放電セルと第３放電セルが列方向に並設されて第１放電セルに対して行方向において隣接され、前記第１の放電ギャップの他方の側の一部に対向する部分の放電空間に第４放電セルが形成され、第４の放電ギャップに対向する部分の放電空間に第５放電セルが形成され、第５の放電ギャップに対向する部分の放電空間に第６放電セルが形成されて、第５放電セルと第６放電セルが列方向に並設されて第４放電セルに対して行方向において隣接され、前記第１放電セルおよび第２放電セル，第３放電セルに、それぞれ、赤または緑，青の蛍光体層が形成されているとともに、この第１放電セルおよび第２放電セル，第３放電セルの三個の放電セルによって一個の第１画素が構成され、前記第４放電セルおよび第５放電セル，第６放電セルに、それぞれ、赤または緑，青の蛍光体層が形成されているとともに、この第４放電セルおよび第５放電セル，第６放電セルの三個の放電セルによって一個の第２画素が構成されて、前記第１画素と第２画素が行方向において交互に配置されていることを特徴としている。
【発明を実施するための最良の形態】
【００３０】
この発明は、放電空間を挟んで対向される前面基板と背面基板の間に配置される行電極対の第１行電極と第２行電極が、それぞれ、行方向に延びる行電極本体部と、この行電極本体部から対になっている他方の行電極本体部の側に突出して互いに放電ギャップを介して対向される行電極突出部とを有し、この第１行電極と第２行電極の行電極突出部間に形成される放電ギャップに対向する部分の放電空間に、第１放電セルと第２放電セル，第３放電セルが形成されて、この各放電セルに、それぞれ、赤または緑，青の蛍光体層が形成されているとともに、この赤，緑，青の蛍光体層が形成された第１放電セルおよび第２放電セル，第３放電セルの三個の放電セルによって一個の画素が構成され、各画素において、第１放電セルの行方向の幅と列方向の幅のうちの一方の幅が他方の幅よりも大きく、この第１放電セルの長手方向の側方部に、それぞれの第１放電セルの長手方向と平行な方向の幅がこの第１放電セルの長手方向の幅よりも小さくなるように設定された第２放電セルと第３放電セルが、第１放電セルの長手方向に沿って並設されているＰＤＰをその最良の実施形態としている。
【００３１】
この実施形態によるＰＤＰによれば、一画素内において、この一画素を構成する第２放電セルと第３放電セルが、それぞれ、第１放電セルの長手方向の幅よりも小さい第１放電セルの長手方向と平行な方向の幅を有していて、この第１放電セルの長手方向の側方部に長手方向に沿って並設されていることによって、行方向に並設されて長手方向が列方向に延びる三個の放電セルによって一個の画素が構成される従来のＰＤＰと比べて、一画素の第１放電セルと第２放電セルおよび第３放電セルが並設される方向の幅が大幅に小さくなるので、例えば、２５インチクラス等の中型ＰＤＰにおいてフルＨＤ表示の高精細画面を実現するために必要な各画素の面積を満足することが可能になり、従って、高い発光効率を保ちながら従来のＰＤＰでは実現出来なかった一画素の面積の縮小を行って、ＰＤＰの画面の高精細化を図ったり、または、中型クラス等のＰＤＰにおいてもフルＨＤ表示等の画面の高精細化を実現すること可能になる。
【００３２】
さらに、上記実施形態のＰＤＰにおいて、面積が一番大きい第１放電セル内に、緑および青の蛍光体層に比べて比較的輝度が小さい赤色の蛍光体層を形成するようにすることによって、この赤色の蛍光体層が形成された第１放電セルと、他の緑色と青色の蛍光体層が形成された第２放電セルおよび第３放電セル間の輝度のバランスが保たれるようになる。
【００３３】
さらに、上記実施形態のＰＤＰにおいて、少なくとも第２放電セルと第３放電セルが対向する放電ギャップが、それぞれ、行方向に対して傾斜する方向に延びるようにすることによって、第２放電セルと第３放電セルのそれぞれの第１放電セルの長手方向と直交する方向の幅を、放電ギャップが行方向と平行に延びている場合に比べて、さらに小さくすることができ、これによって、ＰＤＰの画面をさらに高精細化したり、または、さらにサイズの小さいＰＤＰにおいてもフルＨＤ表示等の画面の高精細化を実現することが出来るようになる。
【実施例１】
【００３４】
図３は、この発明の実施形態における第１の実施例のＰＤＰの一表示ラインの構成を模式的に示す正面図である。
【００３５】
この第１実施例のＰＤＰは、図３において、前面ガラス基板（図示せず）の背面側に、行方向（図３において左右の方向）に延び列方向（図３において上下方向）に並設されてそれぞれ表示ラインＬ１を形成する複数の行電極対（Ｘ１，Ｙ１）が形成されて、誘電体層（図示せず）によって被覆されている。
【００３６】
この行電極対（Ｘ１，Ｙ１）を構成する行電極Ｘ１は、行方向に延びる金属膜からなる帯状のバス電極Ｘ１ａと、このバス電極Ｘ１ａに沿った等間隔位置に交互に接続されて、バス電極Ｘ１ａから対になっている行電極Ｙ１側に向かって列方向に突出する第１透明電極Ｘ１ｂおよび第２透明電極Ｘ１ｃとによって構成されている。
【００３７】
この行電極Ｘ１の第１透明電極Ｘ１ｂは、略Ｔ字形状に成形されており、先端部分に行方向に幅広に形成された第１放電部Ｘ１ｂ１と、この第１放電部Ｘ１ｂ１をバス電極Ｘ１ａに接続する幅狭の脚部Ｘ１ｂ２とによって構成されている。
【００３８】
第２透明電極Ｘ１ｃは、第１透明電極Ｘ１ｂの第１放電部Ｘ１ｂ１よりも行電極Ｙ１に近接する側に位置されて行方向に幅広に形成された第２放電部Ｘ１ｃ１と、第１放電部Ｘ１ｂ１よりもバス電極Ｘ１ａに近接する側に位置されて行方向に幅広に形成された第３放電部Ｘ１ｃ２と、この第２放電部Ｘ１ｃ１および第３放電部Ｘ１ｃ２のそれぞれの左側端部において第２放電部Ｘ１ｃ１と第３放電部Ｘ１ｃ２をバス電極Ｘ１ａに接続する幅狭の脚部Ｘ１ｃ３とによって構成されている。
【００３９】
行電極対（Ｘ１，Ｙ１）を構成する行電極Ｙ１も、行電極Ｘ１と同様に、行電極Ｘ１のバス電極Ｘ１ａとの間に所要の間隔を開けて平行に延びる金属膜からなる帯状のバス電極Ｙ１ａと、このバス電極Ｙ１ａに沿った等間隔位置に交互に接続されて、バス電極Ｙ１ａから対になっている行電極Ｘ１側に向かって列方向に突出する第１透明電極Ｙ１ｂおよび第２透明電極Ｙ１ｃとによって構成されている。
【００４０】
この行電極Ｙ１の第１透明電極Ｙ１ｂは、行電極Ｘ１の第１透明電極Ｘ１ｂに対向する位置に配置されて、略Ｔ字形状に成形されており、先端部分の行方向に幅広に形成された第１放電部Ｙ１ｂ１と、この第１放電部Ｙ１ｂ１をバス電極Ｙ１ａに接続する幅狭の脚部Ｙ１ｂ２とによって構成されている。
【００４１】
そして、各第１透明電極Ｙ１ｂは、第１放電部Ｙ１ｂ１が、それぞれ対になっている行電極Ｘ１の第１透明電極Ｘ１ｂの第１放電部Ｘ１ｂ１と、放電ギャップｇ１を介して互いに対向されている。
【００４２】
第２透明電極Ｙ１ｃは、第１透明電極Ｙ１ｂの第１放電部Ｙ１ｂ１よりも行電極Ｘ１のバス電極Ｘ１ａに近接する側に位置されて行方向に幅広に形成された第２放電部Ｙ１ｃ１と、第１放電部Ｙ１ｂ１よりもバス電極Ｙ１ａに近接する側に位置されて行方向に幅広に形成された第３放電部Ｙ１ｃ２と、この第２放電部Ｙ１ｃ１および第３放電部Ｙ１ｃ２のそれぞれの右側端部において第２放電部Ｙ１ｃ１と第３放電部Ｙ１ｃ２をバス電極Ｙ１ａに接続する幅狭の脚部Ｙ１ｃ３とによって構成されている。
【００４３】
そして、各第２透明電極Ｙ１ｃの第２放電部Ｙ１ｃ１は、それぞれ対になっている行電極Ｘ１の第２透明電極Ｘ１ｃの第２放電部Ｘ１ｃ１と第３放電部Ｘ１ｃ２の間に位置されて、行電極Ｘ１の第３放電部Ｘ１ｃ２と放電ギャップｇ２を介して互いに対向され、第３放電部Ｙ１ｃ２が、行電極Ｘ１の第２放電部Ｘ１ｃ１とバス電極Ｙ１ａの間に位置されて、行電極Ｘ１の第１放電部Ｘ１ｃ１と放電ギャップｇ３を介して互いに対向されている。
【００４４】
前面ガラス基板と放電空間を挟んで対向する背面ガラス基板（図示せず）の前面ガラス基板と対向する面上に、列方向に延びる第１列電極Ｄ１，第２列電極Ｄ２，第３列電極Ｄ３が、それぞれ所要の間隔を開けて行方向に順に並設されている。
【００４５】
この第１列電極Ｄ１は、行電極Ｘ１，Ｙ１のそれぞれの第１透明電極Ｘ１ｂ，Ｙ１ｂに対向する位置において列方向に帯状に延びている。
【００４６】
第２列電極Ｄ２は、行電極Ｘ１の脚部Ｘ１ｃ３に対向する位置において列方向に帯状に延びる本体部Ｄ２ａと、行電極Ｘ１の第２放電部Ｘ１ｃ１と行電極Ｙ１の第３放電部Ｙ１ｃ２との間の放電ギャップｇ３に対向する位置において、本体部Ｄ２ａからそれぞれ行方向に沿って右向きに突出する複数の帯状の列電極突出部Ｄ２ｂとによって構成されている。
【００４７】
第３列電極Ｄ３は、行電極Ｙ１の脚部Ｙ１ｃ３に対向する位置において列方向に帯状に延びる本体部Ｄ３ａと、行電極Ｘ１の第３放電部Ｘ１ｃ２と行電極Ｙ１の第２放電部Ｙ１ｃ１との間の放電ギャップｇ２に対向する位置において、本体部Ｄ３ａからそれぞれ行方向に沿って左向きに突出する複数の帯状の列電極突出部Ｄ３ｂとによって構成されている。
【００４８】
背面ガラス基板の前面ガラス基板と対向する面上には、さらに、誘電体層（図示せず）が形成されて、第１列電極Ｄ１，第２列電極Ｄ２，第３列電極Ｄ３が被覆され、この誘電体層上に、放電空間を放電セル毎に区画する下記のような略格子形状の隔壁Ｗ１が形成されている。
【００４９】
すなわち、隔壁Ｗ１は、互いに対向する行電極Ｘ１の第１透明電極Ｘ１ｂおよび行電極Ｙ１の第１透明電極Ｙ１ｂの対（以下、この対を第１透明電極対という）と、この第１透明電極対の左側に位置する行電極Ｘ１の第２透明電極Ｘ１ｃおよび行電極Ｙ１の第２透明電極Ｙ１ｃの対（以下、この対を第２透明電極対という）との間の部分に対向する位置において、それぞれ列方向に延びる第１縦壁Ｗ１ａと、第１透明電極対とこの第１透明電極対の右側に位置する第２透明電極対との間の部分に対向する位置において、それぞれ列方向に延びる第２縦壁Ｗ１ｂと、バス電極Ｘ１ａとＹ１ａに対向する部分においてそれぞれ行方向に延びる第１横壁Ｗ１ｃと、各第２透明電極対の第２放電部Ｘ１ｃ１と第２放電部Ｙ１ｃ１との間の部分に対向する位置において、第１縦壁Ｗ１ａと第２縦壁Ｗ１ｂ間に掛け渡された状態でそれぞれ行方向に延びる第２横壁Ｗ１ｄとを備えている。
【００５０】
この隔壁Ｗ１によって、放電空間が区画されて、それぞれ、第１透明電極対の第１透明電極Ｘ１ｂおよび第１透明電極Ｙ１ｂに対向する第１放電セルＣ１Ｒと、第２透明電極対の第３放電部Ｘ１ｃ２および第２放電部Ｙ１ｃ１に対向する第２放電セルＣ１Ｇと、第２透明電極対の第２放電部Ｘ１ｃ１および第３放電部Ｙ１ｃ２に対向する第３放電セルＣ１Ｂが形成されている。
【００５１】
そして、各第１放電セルＣ１Ｒ内の背面ガラス基板状には、赤色の蛍光体層（図示せず）が形成され、各第２放電セルＣ１Ｇ内の背面ガラス基板状には、緑色の蛍光体層（図示せず）が形成され、各第３放電セルＣ１Ｂ内の背面ガラス基板状には、青色の蛍光体層（図示せず）が形成されている。
【００５２】
前面ガラス基板と背面ガラス基板の間の放電空間内には、キセノン・ガスを含む放電ガスが充填されている。
【００５３】
図４は、上記ＰＤＰにおける一画素の構成を示している。
【００５４】
この図４において、上記ＰＤＰの一個の画素Ｐ１は、一個の第１放電セルＣ１Ｒと、この第１放電セルＣ１Ｒの左側に位置して列方向に並んだ第２放電セルＣ１Ｇおよび第３放電セルＣ１Ｂの三個の放電セルによって構成されている。
【００５５】
第１放電セルＣ１Ｒは、行方向の幅ａ１が後述するような所要の大きさに設定され、列方向の幅ｂ１が行電極対（Ｘ１，Ｙ１）においてバス電極Ｘ１ａとＹ１ａ間の間隔とほぼ等しい大きさに設定された列方向に長い略長方形の形状を有している。
【００５６】
第２放電セルＣ１Ｇおよび第３放電セルＣ１Ｂは、それぞれ、行方向の幅ａ２が後述するような第１放電セルＣ１Ｒの行方向の幅ａ１よりも大きい所要の大きさに設定され、列方向の幅ｂ２が第１放電セルＣ１Ｒの列方向の幅ｂ１の２分の１以下の大きさに設定された行方向に長い略長方形の形状を有している。
【００５７】
そして、各第１放電セルＣ１Ｒ，第２放電セルＣ１Ｇ，第３放電セルＣ１Ｂの間を区画する隔壁Ｗ１の第１縦壁Ｗ１ａ、第２縦壁Ｗ１ｂ，第２横壁Ｗ１ｄの幅ｔ１は、後述するような所要の大きさに設定されている。
【００５８】
すなわち、上記第１放電セルＣ１Ｒは、行方向の幅ａ１が１００μｍに設定され、第２放電セルＣ１Ｇおよび第３放電セルＣ１Ｂは、行方向の幅ａ２が１５０μｍに設定され、列方向の幅ｂ２が１００μｍに設定されている。
【００５９】
これは、図２の説明において述べたように、一個の放電セルが画像形成に必要な発光効率を保持するようにするためには、放電セルの短手方向の幅が１００μｍ以上、長手方向の幅が１５０μｍ以上必要であり、放電セルがこれらの寸法よりも小さい場合には発光効率が極端に悪化してしまうので、第１放電セルＣ１Ｒおよび第２放電セルＣ１Ｇ，第３放電セルＣ１Ｂが、それぞれ最小限必要な列方向の幅を有するようにするためである。
【００６０】
隔壁Ｗ１の第１縦壁Ｗ１ａ、第２縦壁Ｗ１ｂ，第２横壁Ｗ１ｄの幅ｔ１は、４０μｍに設定されている。
【００６１】
これは、図２の説明において述べたように、 隣接する放電セル間をそれぞれ確実に分離するためには、最低でも４０μｍは必要であるためである。
【００６２】
従って、第１放電セルＣ１Ｒの列方向の幅ｂ１は、ほぼ、
ｂ１＝ｂ２×２＋ｔ１
＝２４０μｍ
となる。
【００６３】
上記のような第１放電セルＣ１Ｒおよび第２放電セルＣ１Ｇ，第３放電セルＣ１Ｂの行方向および列方向の幅の大きさの設定によって、画素Ｐ１の行方向の幅Ａ１は、ほぼ、
Ａ１＝a１＋a２＋ｔ１
＝２９０μｍ
となる。
【００６４】
また、列方向の幅Ｂ１は、第１放電セルＣ１Ｒの列方向の幅ｂ１と同じ、ほぼ２４０μｍとなる。
【００６５】
以上のように、上記実施例によるＰＤＰの構成によれば、前述した背景技術の欄において説明したような２５インチクラスのＰＤＰにおいてフルＨＤ表示の高精細画面を実現するために必要な各画素の面積（約３００（μｍ）×３００（μｍ））を満足することが出来るようになる。
【００６６】
そして、面積が一番大きい第１放電セルＣ１Ｒ内に、緑および青の蛍光体層に比べて比較的輝度が小さい赤色の蛍光体層が形成されていることによって、第１放電セルＣ１Ｒと第２放電セルＣ１Ｇ，第３放電セルＣ１Ｂとの間の輝度のバランスを保つことが出来る。
【００６７】
従って、高い発光効率を保ちながら従来のＰＤＰでは実現出来なかった一画素の面積の縮小が可能になるので、ＰＤＰの画面を高精細化することが可能になるとともに、例えば２５インチクラスの中型ＰＤＰにおいても、画面の高精細化を実現することが出来るようになる。
【実施例２】
【００６８】
図５は、この発明の実施形態における第２の実施例のＰＤＰの一表示ラインの構成を模式的に示す正面図である。
【００６９】
この第２実施例のＰＤＰは、図５において、前面ガラス基板（図示せず）の背面側に、行方向（図５において左右の方向）に延び列方向（図５において上下方向）に並設されてそれぞれ表示ラインＬ２を形成する複数の行電極対（Ｘ２，Ｙ２）が形成されて、誘電体層（図示せず）によって被覆されている。
【００７０】
この行電極対（Ｘ２，Ｙ２）を構成する行電極Ｘ２は、行方向に延びる金属膜からなる帯状のバス電極Ｘ２ａと、このバス電極Ｘ２ａに沿った等間隔位置に接続されて、バス電極Ｘ２ａから対になっている行電極Ｙ２側に向かって列方向に突出する透明電極Ｘ２ｂとによって構成されている。
【００７１】
この透明電極Ｘ２ｂは、バス電極Ｘ２ａから対になっている行電極Ｙ２の方向に突出する脚部Ｘ２ｂ１と、この脚部Ｘ２ｂ１の中間部分から行方向に沿って左向きに突出する第１放電部Ｘ２ｂ２と、脚部Ｘ２ｂ１の第１放電部Ｘ２ｂ２よりも先端側部分から行方向に沿って右向きに突出する第２放電部Ｘ２ｂ３と、脚部Ｘ２ｂ１の第１放電部Ｘ２ｂ２よりも基端側部分から行方向に沿って右向きに突出する第３放電部Ｘ２ｂ４とによって構成されている。
【００７２】
この第３放電部Ｘ２ｂ４は、その側面がバス電極Ｘ２ａに接続されている。
【００７３】
行電極対（Ｘ２，Ｙ２）を構成する行電極Ｙ２も、行電極Ｘ２と同様に、行電極Ｘ２のバス電極Ｘ２ａとの間に所要の間隔を開けて平行に延びる金属膜からなる帯状のバス電極Ｙ２ａと、このバス電極Ｙ２ａに沿った等間隔位置に交互に接続されて、バス電極Ｙ２ａから対になっている行電極Ｘ２側に向かって列方向に突出する透明電極Ｙ２ｂとによって構成されている。
【００７４】
この透明電極Ｙ２ｂは、行電極Ｘ２の互いに隣接する透明電極Ｘ２ｂの間の位置に対向する位置において、バス電極Ｙ２ａから対になっている行電極Ｘ２の側に列方向に突出する脚部Ｙ２ｂ１と、この脚部Ｙ２ｂ１の中間部分から行方向に沿って右向きに突出する第１放電部Ｙ２ｂ２と、脚部Ｙ２ｂ１の第１放電部Ｙ２ｂ２よりも先端側部分から行方向に沿って左向きに突出する第２放電部Ｙ２ｂ３と、脚部Ｙ２ｂ１の第１放電部Ｙ２ｂ２よりも基端側部分から行方向に沿って左向きに突出する第３放電部Ｙ２ｂ４とによって構成されている。
【００７５】
この第３放電部Ｙ２ｂ４は、その側面がバス電極Ｙ２ａに接続されている。
【００７６】
そして、各透明電極Ｙ２ｂは、第１放電部Ｙ２ｂ２が、それぞれ対になっている行電極Ｘ２の透明電極Ｘ２ｂの第１放電部Ｘ２ｂ２と放電ギャップｇ４を介して互いに対向され、第２放電部Ｙ２ｂ３が透明電極Ｘ２ｂの第３放電部Ｘ２ｂ４と放電ギャップｇ５を介して互いに対向され、第３放電部Ｙ２ｂ４が透明電極Ｘ２ｂの第２放電部Ｘ２ｂ３と放電ギャップｇ６を介して互いに対向されている。
【００７７】
前面ガラス基板と放電空間を挟んで対向する背面ガラス基板（図示せず）の前面ガラス基板と対向する面上に、列方向に延びる第１列電極Ｄ４，第２列電極Ｄ５，第３列電極Ｄ６が、それぞれ所要の間隔を開けて行方向に順に並設されている。
【００７８】
この第１列電極Ｄ４は、それぞれ、行電極Ｘ２の第１放電部Ｘ２ｂ２と行電極Ｙ２の第１放電部Ｙ２ｂ２に対向する位置において列方向に帯状に延びている。
【００７９】
第２列電極Ｄ５は、行電極Ｘ２の脚部Ｘ２ｂ１に対向する位置において列方向に帯状に延びる本体部Ｄ５ａと、行電極Ｘ２の第２放電部Ｘ２ｂ３と行電極Ｙ２の第３放電部Ｙ２ｂ４との間の放電ギャップｇ６に対向する位置において、本体部Ｄ５ａからそれぞれ行方向に沿って右向きに突出する複数の帯状の列電極突出部Ｄ５ｂとによって構成されている。
【００８０】
第３列電極Ｄ６は、行電極Ｙ２の脚部Ｙ２ｂ１に対向する位置において列方向に帯状に延びる本体部Ｄ６ａと、行電極Ｘ２の第３放電部Ｘ２ｂ４と行電極Ｙ２の第２放電部Ｙ２ｂ３との間の放電ギャップｇ５に対向する位置において、本体部Ｄ６ａからそれぞれ行方向に沿って左向きに突出する複数の帯状の列電極突出部Ｄ６ｂとによって構成されている。
【００８１】
背面ガラス基板の前面ガラス基板と対向する面上には、第１列電極Ｄ４，第２列電極Ｄ５，第３列電極Ｄ６を被覆する誘電体層が形成され、この誘電体層上に、第１実施例の場合と同様の形状の隔壁Ｗ１が形成されている。
【００８２】
そして、この隔壁Ｗ１によって、放電空間が、行電極Ｘ２の第１放電部Ｘ２ｂ２と行電極Ｙ２の第１放電部Ｙ２ｂ２に対向されて赤色の蛍光体層が形成された第１放電セルＣ２Ｒと、第３放電部Ｘ２ｂ４と第２放電部Ｙ２ｂ３に対向されて緑色の蛍光体層が形成された第２放電セルＣ２Ｇと、第２放電部Ｘ２ｂ３と第３放電部Ｙ２ｂ４に対向されて青色の蛍光体層が形成された第３放電セルＣ２Ｂとに区画されている。
【００８３】
この第１放電セルＣ２Ｒおよび第２放電セルＣ２Ｇ，第３放電セルＣ２Ｂの形状と行および列方向の幅、並びに、各放電セル間を区画する隔壁Ｗ１の幅の寸法は、第１実施例の場合と同様に設定されている。
【００８４】
そして、画素Ｐ２も、第１実施例の場合と同様に、それぞれ第１放電セルＣ２Ｒおよび第２放電セルＣ２Ｇ，第３放電セルＣ２Ｂの三個の放電セルによって構成されており、従って、この画素Ｐ２の行方向の幅および列方向の幅も第１実施例の場合と同様に、行方向の幅が２９０μｍ，列方向の幅が２４０μｍに設定される。
【００８５】
以上のように、上記実施例によるＰＤＰは、第１実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【００８６】
さらに、上記実施例によるＰＤＰは、行電極Ｘ２，Ｙ２のそれぞれの第３放電部Ｘ２ｂ４，Ｙ２ｂ４が直接バス電極Ｘ２ａ，Ｙ２ａに接続されていることによって、第３放電部Ｘ２ｂ４，Ｙ２ｂ４にバス電極Ｘ２ａ，Ｙ２ａから直接に電圧が印加され、これによって、透明電極Ｘ２ｂ，Ｙ２ｂの脚部Ｘ２ｂ１，Ｙ２ｂ１における電圧降下を第１実施例の場合と比べて、小さくすることが出来る。
【実施例３】
【００８７】
図６は、この発明の実施形態における第３の実施例のＰＤＰの一表示ラインの構成を模式的に示す正面図である。
【００８８】
この第３実施例のＰＤＰは、図６において、前面ガラス基板（図示せず）の背面側に、行方向（図６において左右の方向）に延び列方向（図６において上下方向）に並設されてそれぞれ表示ラインＬ３を形成する複数の行電極対（Ｘ３，Ｙ３）が形成されて、誘電体層（図示せず）によって被覆されている。
【００８９】
この行電極対（Ｘ３，Ｙ３）を構成する行電極Ｘ３は、行方向に延びる金属膜からなる帯状のバス電極Ｘ３ａと、このバス電極Ｘ３ａに沿った等間隔位置に接続されて、バス電極Ｘ３ａから対になっている行電極Ｙ３側に向かって列方向に突出する透明電極Ｘ３ｂとによって構成されている。
【００９０】
この透明電極Ｘ３ｂは、バス電極Ｘ３ａから対になっている行電極Ｙ３の方向に側に突出する脚部Ｘ３ｂ１と、この脚部Ｘ３ｂ１の中間部分から行方向に沿って左向きに突出する帯状の第１放電部Ｘ３ｂ２と、脚部Ｘ３ｂ１の先端側部分から行方向右向きに突出する第２放電部Ｘ３ｂ３と、脚部Ｘ３ｂ１の基端側部分から行方向右向きに突出する第３放電部Ｘ３ｂ４とによって構成されている。
【００９１】
この第２放電部Ｘ３ｂ３と第３放電部Ｘ３ｂ４は、それぞれ、バス電極Ｘ３ａ側の縁部が行方向と平行に延び、バス電極Ｙ３ａ側の縁部が右方向に行くほどバス電極Ｘ３ａに接近する側に傾斜した三角形状に成形されている。
【００９２】
そして、第３放電部Ｘ３ｂ４は、そのバス電極Ｘ３ａ側の縁部が、バス電極Ｘ３ａに接続されている。
【００９３】
行電極対（Ｘ３，Ｙ３）を構成する行電極Ｙ３も、行電極Ｘ３と同様に、行電極Ｘ３のバス電極Ｘ３ａとの間に所要の間隔を開けて平行に延びる金属膜からなる帯状のバス電極Ｙ３ａと、このバス電極Ｙ３ａに沿った等間隔位置に接続されて、バス電極Ｙ３ａから対になっている行電極Ｘ３側に向かって列方向に突出する透明電極Ｙ３ｂとによって構成されている。
【００９４】
この透明電極Ｙ３ｂは、行電極Ｘ３の互いに隣接する透明電極Ｘ３ｂの中間位置に対向する位置において、バス電極Ｙ３ａから対になっている行電極Ｘ３の側に列方向に突出する脚部Ｙ３ｂ１と、この脚部Ｙ３ｂ１の中間部分から行方向に沿って右向きに突出する帯状の第１放電部Ｙ３ｂ２と、脚部Ｙ３ｂ１の先端側部分から行方向左向きに突出する第２放電部Ｙ３ｂ３と、脚部Ｙ３ｂ１の基端側部分から行方向左向きに突出する第３放電部Ｙ３ｂ４とによって構成されている。
【００９５】
この第２放電部Ｙ３ｂ３と第３放電部Ｙ３ｂ４は、それぞれ、バス電極Ｙ３ａ側の縁部が行方向と平行に延び、バス電極Ｘ３ａ側の縁部が左方向に行くほどバス電極Ｙ３ａに接近する側に傾斜した三角形状に成形されている。
【００９６】
第３放電部Ｙ３ｂ４は、そのバス電極Ｙ３ａ側の縁部が、バス電極Ｙ３ａに接続されている。
そして、各透明電極Ｙ３ｂは、第１放電部Ｙ３ｂ２が、それぞれ対になっている行電極Ｘ３の透明電極Ｘ３ｂの第１放電部Ｘ３ｂ２と放電ギャップｇ７を介して互いに対向され、第２放電部Ｙ３ｂ３の傾斜している側の縁部が透明電極Ｘ３ｂの第３放電部Ｘ３ｂ３の傾斜している側の縁部と放電ギャップｇ８を介して互いに対向され、第３放電部Ｙ３ｂ４の傾斜している側の縁部が透明電極Ｘ３ｂの第２放電部Ｘ３ｂ３の傾斜している側の縁部と放電ギャップｇ９を介して互いに対向されている。
【００９７】
前面ガラス基板と放電空間を挟んで対向する背面ガラス基板（図示せず）の前面ガラス基板と対向する面上に、列方向に延びる第１列電極Ｄ７，第２列電極Ｄ８，第３列電極Ｄ９が、それぞれ所要の間隔を開けて行方向に順に並設されている。
【００９８】
この第１列電極Ｄ７は、それぞれ、行電極Ｘ３の第１放電部Ｘ３ｂ２と行電極Ｙ３の第１放電部Ｙ３ｂ２に対向する位置において列方向に帯状に延びている。
【００９９】
第２列電極Ｄ８は、行電極Ｘ３の脚部Ｘ３ｂ１に対向する位置において列方向に帯状に延びる本体部Ｄ８ａと、行電極Ｘ３の第２放電部Ｘ３ｂ３と行電極Ｙ３の第３放電部Ｙ３ｂ４との間の放電ギャップｇ９と対向する位置に向かって、本体部Ｄ６ａからそれぞれ行方向に沿って右向きに突出する複数の帯状の列電極突出部Ｄ６ｂとによって構成されている。
【０１００】
第３列電極Ｄ９は、行電極Ｙ３の脚部Ｙ３ｂ１に対向する位置において列方向に帯状に延びる本体部Ｄ９ａと、行電極Ｘ３の第３放電部Ｘ３ｂ４と行電極Ｙ３の第２放電部Ｙ３ｂ３との間の放電ギャップｇ８に対向する位置に向かって、本体部Ｄ９ａからそれぞれ行方向に沿って左向きに突出する複数の帯状の列電極突出部Ｄ９ｂとによって構成されている。
【０１０１】
背面ガラス基板の前面ガラス基板と対向する面上には、第１列電極Ｄ７，第２列電極Ｄ８，第３列電極Ｄ９を被覆する誘電体層が形成され、この誘電体層上に、放電空間を放電セル毎に区画する下記のような略格子形状の隔壁Ｗ２が形成されている。
【０１０２】
すなわち、隔壁Ｗ２は、行電極Ｘ３の脚部Ｘ３ｂ１に対向する位置においてそれぞれ列方向に延びる第１縦壁Ｗ２ａと、行電極Ｙ３の脚部Ｙ３ｂ１に対向する位置においてそれぞれ列方向に延びる第２縦壁Ｗ２ｂと、バス電極Ｘ３ａとＹ３ａに対向する部分においてそれぞれ行方向に延びる第１横壁Ｗ２ｃと、行電極Ｘ３の第２放電部Ｘ３ｂ３と行電極Ｙ３の第２放電部Ｙ３ｂ３の間の部分に対向する位置において、第１縦壁Ｗ２ａと第２縦壁Ｗ２ｂ間に掛け渡された状態でそれぞれ行方向に延びる第２横壁Ｗ２ｄとを備えている。
【０１０３】
そして、この隔壁Ｗ２によって、放電空間が、行電極Ｘ３の第１放電部Ｘ３ｂ２と行電極Ｙ３の第１放電部Ｙ３ｂ２に対向されて赤色の蛍光体層が形成された第１放電セルＣ３Ｒと、第３放電部Ｘ３ｂ４と第２放電部Ｙ３ｂ３に対向されて緑色の蛍光体層が形成された第２放電セルＣ３Ｇと、第２放電部Ｘ３ｂ３と第３放電部Ｙ３ｂ４に対向されて青色の蛍光体層が形成された第３放電セルＣ３Ｂとに区画されている。
【０１０４】
上記ＰＤＰの第１放電セルＣ３Ｒは、第１実施例の場合と同様に、行方向の幅が１００μｍに設定され、列方向の幅が２４０μｍに設定されている。
【０１０５】
そして、第２放電セルＣ３Ｇおよび第３放電セルＣ３Ｂは、行方向と列方向の幅が、何れも１００μｍに設定されている。
【０１０６】
これは、第１実施例の場合には、第２放電セルと第３放電セルの行方向の幅が画像形成のための発光効率を保持するために必要な最小限の１５０μｍに設定されていたが、上記ＰＤＰにおいては、第２放電セルＣ３Ｇに対向している放電ギャップｇ８と第３放電セルＣ３Ｂに対向している放電ギャップｇ９が、それぞれ行方向に対して傾斜する方向に延びているために、第１実施例の場合と比較して実質的なプラズマ放電領域が長くなり、これによって発光効率が向上されるので、その分だけ、第２放電セルＣ３Ｇおよび第３放電セルＣ３Ｂの行方向の幅を第１実施例の場合よりも短い１００μｍに設定しても、プラズマ放電を安定して行なうことができるようになるためである。
【０１０７】
第２放電セルＣ３Ｇおよび第３放電セルＣ３Ｂは、その列方向の幅が第１実施例の場合と同じ１００μｍに設定されて、ほぼ正方形状を有しており、隔壁Ｗ２の各壁部の幅も４０μｍに設定されている。
【０１０８】
従って、第１放電セルＣ３Ｒおよび第２放電セルＣ３Ｇ，第３放電セルＣ３Ｂの三個の放電セルによって構成される画素Ｐ３は、行方向と列方向の幅が、何れも、ほぼ２４０μｍとなって、２５インチクラスのＰＤＰにおいてフルＨＤ（１９８０×１０８０）の画面を実現するために必要な画素サイズ３００μｍ×３００μｍを満足することが出来る。
【０１０９】
なお、第１実施例のＰＤＰと同様に、面積が一番大きい第１放電セルＣ３Ｒ内に、緑および青の蛍光体層に比べて比較的輝度が小さい赤色の蛍光体層が形成されていることによって、第１放電セルＣ３Ｒと第２放電セルＣ３Ｇ，第３放電セルＣ３Ｂの間の輝度のバランスが保たれる。
【０１１０】
以上のように、上記実施例のＰＤＰによれば、第１実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになるとともに、画素Ｐ３のサイズを第１実施例のＰＤＰの場合よりもさらに小さくすることが出来るので、さらに画面の高精細化を実現することが出来るようになる。
【０１１１】
さらに、上記実施例によるＰＤＰは、行電極Ｘ３，Ｙ３のそれぞれの第３放電部Ｘ３ｂ４，Ｙ３ｂ４が直接バス電極Ｘ３ａ，Ｙ３ａに接続されていることによって、第３放電部Ｘ３ｂ４，Ｙ３ｂ４にバス電極Ｘ３ａ，Ｙ３ａから直接に電圧が印加され、これによって、透明電極Ｘ３ｂ，Ｙ３ｂの脚部Ｘ３ｂ１，Ｙ３ｂ１における電圧降下を第１実施例の場合と比べて、小さくすることが出来る。
【実施例４】
【０１１２】
図７は、この発明の実施形態における第４の実施例のＰＤＰの一表示ラインの構成を模式的に示す正面図である。
【０１１３】
この第４実施例のＰＤＰは、図７において、前面ガラス基板（図示せず）の背面側に、行方向（図７において左右の方向）に延び列方向（図７において上下方向）に並設されてそれぞれ表示ラインＬ４を形成する複数の行電極対（Ｘ４，Ｙ４）が形成されて、誘電体層（図示せず）によって被覆されている。
【０１１４】
この行電極対（Ｘ４，Ｙ４）を構成する行電極Ｘ４は、行方向に延びる金属膜からなる帯状のバス電極Ｘ４ａと、このバス電極Ｘ４ａに沿った等間隔位置に接続されて、バス電極Ｘ４ａから対になっている行電極Ｙ４側に向かって列方向に突出する透明電極Ｘ４ｂとによって構成されている。
【０１１５】
この透明電極Ｘ４ｂは、バス電極Ｘ４ａから対になっている行電極Ｙ４の方向に側に突出する脚部Ｘ４ｂ１と、この脚部Ｘ４ｂ１の中間部分から行方向右向きに突出する第１放電部Ｘ４ｂ２と、脚部Ｘ４ｂ１の先端側部分から行方向左向きに突出する第２放電部Ｘ４ｂ３と、脚部Ｘ４ｂ１の基端側部分から行方向左向きに突出する第３放電部Ｘ４ｂ４とによって構成されている。
【０１１６】
この透明電極Ｘ４ｂの第１放電部Ｘ４ｂ２は、バス電極Ｘ４ａ側の縁部が行方向と平行に延び、バス電極Ｙ４ａ側の縁部が右方向に行くほどバス電極Ｘ４ａに接近する側に傾斜した三角形状に成形されている。
【０１１７】
第２放電部Ｘ４ｂ３と第３放電部Ｘ４ｂ４は、それぞれ、バス電極Ｙ４ａ側の縁部が行方向と平行に延び、バス電極Ｘ４ａ側の縁部が左方向に行くほどバス電極Ｙ４ａに接近する側に傾斜した三角形状に成形されている。
【０１１８】
行電極対（Ｘ４，Ｙ４）を構成する行電極Ｙ４も、行電極Ｘ４と同様に、行電極Ｘ４のバス電極Ｘ４ａとの間に所要の間隔を開けて平行に延びる金属膜からなる帯状のバス電極Ｙ４ａと、このバス電極Ｙ４ａに沿った等間隔位置に交互に接続されて、バス電極Ｙ４ａから対になっている行電極Ｘ４側に向かって列方向に突出する透明電極Ｙ４ｂとによって構成されている。
【０１１９】
この透明電極Ｙ４ｂは、行電極Ｘ４の互いに隣接する透明電極Ｘ４ｂの間の位置に対向する位置において、バス電極Ｙ４ａから対になっている行電極Ｘ４の側に列方向に突出する脚部Ｙ４ｂ１と、この脚部Ｙ４ｂ１の中間部分から行方向左向きに突出する第１放電部Ｙ４ｂ２と、脚部Ｙ４ｂ１の先端側部分から行方向右向きに突出する第２放電部Ｙ４ｂ３と、脚部Ｙ４ｂ１の基端側部分から行方向右向きに突出する第３放電部Ｙ４ｂ４とによって構成されている。
【０１２０】
この透明電極Ｙ４ｂの第１放電部Ｙ４ｂ２は、バス電極Ｙ４ａ側の縁部が行方向と平行に延び、バス電極Ｘ４ａ側の縁部が左方向に行くほどバス電極Ｙ４ａに接近する側に傾斜した三角形状に成形されている。
【０１２１】
第２放電部Ｙ４ｂ３と第３放電部Ｙ４ｂ４は、それぞれ、バス電極Ｘ４ａ側の縁部が行方向と平行に延び、バス電極Ｙ４ａ側の縁部が右方向に行くほどバス電極Ｘ４ａに接近する側に傾斜した三角形状に成形されている。
【０１２２】
そして、各透明電極Ｙ４ｂは、第１放電部Ｙ４ｂ２の傾斜している側の縁部が、それぞれ対になっている行電極Ｘ４の透明電極Ｘ４ｂの第１放電部Ｘ４ｂ２の傾斜している側の縁部と放電ギャップｇ１０を介して互いに対向され、第２放電部Ｙ４ｂ３の傾斜している側の縁部が透明電極Ｘ４ｂの第３放電部Ｘ４ｂ３の傾斜している側の縁部と放電ギャップｇ１１を介して互いに対向され、第３放電部Ｙ４ｂ４の傾斜している側の縁部が透明電極Ｘ４ｂの第２放電部Ｘ４ｂ３の傾斜している側の縁部と放電ギャップｇ１２を介して互いに対向されている。
【０１２３】
前面ガラス基板と放電空間を挟んで対向する背面ガラス基板（図示せず）の前面ガラス基板と対向する面上に、列方向に延びる第１列電極Ｄ１０，第２列電極Ｄ１１，第３列電極Ｄ１２が、それぞれ所要の間隔を開けて行方向に順に並設されている。
【０１２４】
この第１列電極Ｄ１０は、それぞれ、行電極Ｘ４の第１放電部Ｘ４ｂ２と行電極Ｙ４の第１放電部Ｙ４ｂ２に対向する位置において列方向に帯状に延びている。
【０１２５】
第２列電極Ｄ１１は、行電極Ｘ４の脚部Ｘ４ｂ１に対向する位置において列方向に帯状に延びる本体部Ｄ１１ａと、行電極Ｘ４の第２放電部Ｘ４ｂ３と行電極Ｙ４の第３放電部Ｙ４ｂ４との間の放電ギャップｇ１１と対向する位置に向かって、本体部Ｄ１１ａからそれぞれ行方向に沿って左向きに突出する複数の帯状の列電極突出部Ｄ１１ｂとによって構成されている。
【０１２６】
第３列電極Ｄ１２は、行電極Ｙ４の脚部Ｙ４ｂ１に対向する位置において列方向に帯状に延びる本体部Ｄ１２ａと、行電極Ｘ４の第３放電部Ｘ４ｂ４と行電極Ｙ４の第２放電部Ｙ４ｂ３との間の放電ギャップｇ１２に対向する位置に向かって、本体部Ｄ１２ａからそれぞれ行方向に沿って右向きに突出する複数の帯状の列電極突出部Ｄ１２ｂとによって構成されている。
【０１２７】
背面ガラス基板の前面ガラス基板と対向する面上には、第１列電極Ｄ１０，第２列電極Ｄ１１，第３列電極Ｄ１２を被覆する誘電体層が形成され、この誘電体層上に、第３実施例の場合と同様の形状の隔壁Ｗ２が形成されている。
【０１２８】
そして、この隔壁Ｗ２によって、放電空間が、行電極Ｘ４の第１放電部Ｘ４ｂ２と行電極Ｙ４の第１放電部Ｙ４ｂ２に対向されて赤色の蛍光体層が形成された第１放電セルＣ４Ｒと、第３放電部Ｘ４ｂ４と第２放電部Ｙ４ｂ３に対向されて緑色の蛍光体層が形成された第２放電セルＣ４Ｇと、第２放電部Ｘ４ｂ３と第３放電部Ｙ４ｂ４に対向されて青色の蛍光体層が形成された第３放電セルＣ４Ｂとに区画されている。
【０１２９】
上記ＰＤＰの各放電セルのサイズおよび隔壁Ｗ２の各壁部の幅は、前述した第３実施例の場合と同様に設定されている。
【０１３０】
すなわち、第２第１放電セルＣ４Ｒは、行方向の幅が１００μｍ、列方向の幅が２４０μｍに設定され、第２放電セルＣ４Ｇおよび第３放電セルＣ４Ｂは、行方向および列方向の幅が何れも１００μｍに設定されており、隔壁Ｗ２の各壁部の幅は４０μｍである。
【０１３１】
従って、第１放電セルＣ４Ｒおよび第２放電セルＣ４Ｇ，第３放電セルＣ４Ｂの三個の放電セルによって構成される画素Ｐ４の行方向および列方向の幅は、第３実施例の場合と同様に、何れも２４０μｍとなり、２５インチクラスのＰＤＰにおいてフルＨＤ（１９８０×１０８０）の画面を実現するために必要な画素サイズ３００μｍ×３００μｍを満足することが出来る。
【０１３２】
第１放電セルＣ４Ｒと他の第２放電セルＣ４Ｇおよび第３放電セルＣ４Ｂとの間の輝度のバランスについても、第３実施例の場合と同様である。
【０１３３】
以上のように、上記実施例のＰＤＰによれば、第１実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになるとともに、画素Ｐ４のサイズを第１実施例のＰＤＰの場合よりもさらに小さくすることが出来るので、さらに画面の高精細化を実現することが出来るようになる。
【０１３４】
さらに、上記実施例のＰＤＰによれば、第１放電セルＣ４Ｒに対向している放電ギャップｇ１０が行方向に対して傾斜する方向に延びているために、プラズマ放電領域が長くなって、この第１放電セルＣ４Ｒにおける発光効率が向上される。
【実施例５】
【０１３５】
図８は、この発明の実施形態における第５の実施例のＰＤＰの一表示ラインの構成を模式的に示す正面図である。
【０１３６】
この第５実施例のＰＤＰは、図８において、前面ガラス基板（図示せず）の背面側に、行方向（図８において左右の方向）に延び列方向（図８において上下方向）に並設されてそれぞれ表示ラインＬ５を形成する複数の行電極対（Ｘ５，Ｙ５）が形成されて、誘電体層（図示せず）によって被覆されている。
【０１３７】
この行電極対（Ｘ５，Ｙ５）を構成する行電極Ｘ５は、行方向に延びる金属膜からなる帯状のバス電極Ｘ５ａと、このバス電極Ｘ５ａに沿った等間隔位置に接続されて、バス電極Ｘ５ａから対になっている行電極Ｙ５側に向かって列方向に突出する透明電極Ｘ５ｂとによって構成されている。
【０１３８】
この透明電極Ｘ５ｂは、バス電極Ｘ５ａから対になっている行電極Ｙ５の方向に側に突出する脚部Ｘ５ｂ１と、この脚部Ｘ５ｂ１の中間部分から行方向左向きに突出する第１放電部Ｘ５ｂ２と、脚部Ｘ５ｂ１の先端側部分から行方向右向きに突出する第２放電部Ｘ５ｂ３と、脚部Ｘ５ｂ１の基端側部分から行方向右向きに突出する第３放電部Ｘ５ｂ４とによって構成されている。
【０１３９】
この透明電極Ｘ５ｂの第１放電部Ｘ５ｂ２は、バス電極Ｙ５ａ側の縁部が行方向と平行に延び、バス電極Ｘ５ａ側の縁部が左方向に行くほどバス電極Ｙ５ａに接近する側に傾斜した三角形状に成形されている。
【０１４０】
第２放電部Ｘ５ｂ３と第３放電部Ｘ５ｂ４は、それぞれ、バス電極Ｘ５ａ側の縁部が行方向と平行に延び、バス電極Ｙ５ａ側の縁部が右方向に行くほどバス電極Ｘ５ａに接近する側に傾斜した三角形状に成形されている。
【０１４１】
行電極対（Ｘ５，Ｙ５）を構成する行電極Ｙ５も、行電極Ｘ５と同様に、行電極Ｘ５のバス電極Ｘ５ａとの間に所要の間隔を開けて平行に延びる金属膜からなる帯状のバス電極Ｙ５ａと、このバス電極Ｙ５ａに沿った等間隔位置に接続されて、バス電極Ｙ５ａから対になっている行電極Ｘ５側に向かって列方向に突出する透明電極Ｙ５ｂとによって構成されている。
【０１４２】
この透明電極Ｙ５ｂは、行電極Ｘ５の互いに隣接する透明電極Ｘ５ｂの間の位置に対向する位置において、バス電極Ｙ５ａから対になっている行電極Ｘ５の側に列方向に突出する脚部Ｙ５ｂ１と、この脚部Ｙ５ｂ１の中間部分から行方向右向きに突出する第１放電部Ｙ５ｂ２と、脚部Ｙ５ｂ１の先端側部分から行方向左向きに突出する第２放電部Ｙ５ｂ３と、脚部Ｙ５ｂ１の基端側部分から行方向左向きに突出する第３放電部Ｙ５ｂ４とによって構成されている。
【０１４３】
この透明電極Ｙ５ｂの第１放電部Ｙ５ｂ２は、バス電極Ｘ５ａ側の縁部が行方向と平行に延び、バス電極Ｙ５ａ側の縁部が右方向に行くほどバス電極Ｘ５ａに接近する側に傾斜した三角形状に成形されている。
【０１４４】
第２放電部Ｙ５ｂ３と第３放電部Ｙ５ｂ４は、それぞれ、バス電極Ｙ５ａ側の縁部が行方向と平行に延び、バス電極Ｘ５ａ側の縁部が左方向に行くほどバス電極Ｙ５ａに接近する側に傾斜した三角形状に成形されている。
【０１４５】
そして、各透明電極Ｙ５ｂは、第１放電部Ｙ５ｂ２の傾斜している側の縁部が、それぞれ対になっている行電極Ｘ５の透明電極Ｘ５ｂの第１放電部Ｘ５ｂ２の傾斜している側の縁部と放電ギャップｇ１３を介して互いに対向され、第２放電部Ｙ５ｂ３の傾斜している側の縁部が透明電極Ｘ５ｂの第３放電部Ｘ５ｂ３の傾斜している側の縁部と放電ギャップｇ１４を介して互いに対向され、第３放電部Ｙ５ｂ４の傾斜している側の縁部が透明電極Ｘ５ｂの第２放電部Ｘ５ｂ３の傾斜している側の縁部と放電ギャップｇ１５を介して互いに対向されている。
【０１４６】
前面ガラス基板と放電空間を挟んで対向する背面ガラス基板（図示せず）の前面ガラス基板と対向する面上に、列方向に延びる第１列電極Ｄ１３，第２列電極Ｄ１４，第３列電極Ｄ１５が、それぞれ所要の間隔を開けて行方向に順に並設されている。
【０１４７】
この第１列電極Ｄ１３は、それぞれ、行電極Ｘ５の第１放電部Ｘ５ｂ２と行電極Ｙ５の第１放電部Ｙ５ｂ２に対向する位置において列方向に帯状に延びている。
【０１４８】
第２列電極Ｄ１４は、行電極Ｘ５の脚部Ｘ５ｂ１に対向する位置において列方向に帯状に延びる本体部Ｄ１４ａと、行電極Ｘ５の第２放電部Ｘ５ｂ３と行電極Ｙ５の第３放電部Ｙ５ｂ４との間の放電ギャップｇ１５と対向する位置に向かって、本体部Ｄ１４ａからそれぞれ行方向に沿って右向きに突出する複数の帯状の列電極突出部Ｄ１４ｂとによって構成されている。
【０１４９】
第３列電極Ｄ１５は、行電極Ｙ５の脚部Ｙ５ｂ１に対向する位置において列方向に帯状に延びる本体部Ｄ１５ａと、行電極Ｘ５の第３放電部Ｘ５ｂ４と行電極Ｙ５の第２放電部Ｙ５ｂ３との間の放電ギャップｇ１４に対向する位置に向かって、本体部Ｄ１５ａからそれぞれ行方向に沿って左向きに突出する複数の帯状の列電極突出部Ｄ１５ｂとによって構成されている。
【０１５０】
背面ガラス基板の前面ガラス基板と対向する面上には、第１列電極Ｄ１３，第２列電極Ｄ１４，第３列電極Ｄ１５を被覆する誘電体層が形成され、この誘電体層上に、放電空間を放電セル毎に区画する下記のような略格子形状の隔壁Ｗ３が形成されている。
【０１５１】
すなわち、隔壁Ｗ３は、行電極Ｘ５の脚部Ｘ５ｂ１に対向する位置においてそれぞれ列方向に延びる第１縦壁Ｗ３ａと、行電極Ｙ５の脚部Ｙ５ｂ１に対向する位置においてそれぞれ列方向に延びる第２縦壁Ｗ３ｂと、バス電極Ｘ５ａとＹ５ａに対向する部分においてそれぞれ行方向に延びる第１横壁Ｗ３ｃと、行電極Ｘ５の第２放電部Ｘ５ｂ３と行電極Ｙ５の第２放電部Ｙ５ｂ３の間の部分に対向する位置において、第１縦壁Ｗ３ａと第２縦壁Ｗ３ｂ間に掛け渡された状態でそれぞれ行方向に延びる第２横壁Ｗ３ｄとを備えている。
【０１５２】
第１横壁Ｗ３ｃには、バス電極Ｘ５ａとＹ５ａの間の領域に対向する部分に張り出して、それぞれ、バス電極Ｘ５ａと第１放電部Ｙ５ｂ２との間の領域またはバス電極Ｙ５ａと第１放電部Ｘ５ｂ２との間の領域に対向する張り出し部分Ｗ３ｃ１が形成されている。
【０１５３】
そして、この隔壁Ｗ３によって、放電空間が、行電極Ｘ５の第１放電部Ｘ５ｂ２と行電極Ｙ５の第１放電部Ｙ５ｂ２に対向されて赤色の蛍光体層が形成された第１放電セルＣ５Ｒと、第３放電部Ｘ５ｂ４と第２放電部Ｙ５ｂ３に対向されて緑色の蛍光体層が形成された第２放電セルＣ５Ｇと、第２放電部Ｘ５ｂ３と第３放電部Ｙ５ｂ４に対向されて青色の蛍光体層が形成された第３放電セルＣ５Ｂとに区画されている。
【０１５４】
前面ガラス基板または行電極対（Ｘ５，Ｙ５）を被覆する誘電体層の背面側には、第１放電セルＣ５Ｒおよび第２放電セルＣ５Ｇ，第３放電セルＣ５Ｂに対向する部分を除いて、黒色または暗色の光吸収層Ｚが形成されている。
【０１５５】
隔壁Ｗ３の第１縦壁Ｗ３ａおよび第２縦壁Ｗ３ｂのそれぞれ第１放電セルＣ５Ｒと第２放電セルＣ５Ｇまたは第３放電セルＣ５Ｂとの間の部分の幅は、最小限必要な大きさの４０μｍに設定されている。
【０１５６】
上記ＰＤＰの各放電セルのサイズは、下記のように設定されている。
すなわち、第２放電セルＣ５Ｇおよび第３放電セルＣ５Ｂは、第３実施例の場合と同様（行方向と列方向の幅が何れも１００μｍ）に設定されている。
【０１５７】
第２第１放電セルＣ５Ｒは、行方向の幅は第３実施例の場合と同じ１００μｍに設定されているが、列方向の幅は、例えば第１ないし第４実施例の場合の２４０μｍよりも小さい値に設定されている。
【０１５８】
これは、第１放電セルＣ５Ｒが対向している放電ギャップｇ１３が行方向に対して傾斜する方向に延びているために、プラズマ放電領域が長くなって、この第１放電セルＣ５Ｒにおける発光効率が向上されるため、その分、第１放電セルＣ５Ｒのサイズを小さくすることが可能になるためである。
【０１５９】
上記ＰＤＰの第１放電セルＣ５Ｒおよび第２放電セルＣ５Ｇ，第３放電セルＣ５Ｂの三個の放電セルによって構成される画素Ｐ５の行方向および列方向の幅は、第１ないし第４実施例の場合と同様に、２５インチクラスのＰＤＰにおいてフルＨＤ（１９８０×１０８０）の画面を実現するために必要な画素サイズ３００μｍ×３００μｍを満足することが可能となる。
【０１６０】
以上のように、上記実施例のＰＤＰによれば、第４実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになり、さらに、第１放電セルＣ５Ｒのサイズが、第１放電セルＣ５Ｒにおける発光効率が向上されるのに対応して、前述した各実施例の場合に比べて小さくなっていることによって、他の第２放電セルＣ５Ｇおよび第３放電セルＣ５Ｂとの間の輝度バランスがより確実に確保されるようになる。
【０１６１】
さらに、上記ＰＤＰは、前面ガラス基板側に各放電セルに対向する部分を除いた部分が黒色または暗色の光吸収層Ｚによって覆われているために、パネル面に入射する外光の反射が防止されるので、形成される画像の黒輝度コントラストを向上させ、また、放電セルの非点灯時の黒を強調することが出来るようになる。
【実施例６】
【０１６２】
図９は、この発明の実施形態における第６の実施例のＰＤＰの一表示ラインの構成を模式的に示す正面図である。
【０１６３】
この第６実施例のＰＤＰは、図９において、前面ガラス基板（図示せず）の背面側に、行方向（図９において左右の方向）に延び列方向（図９において上下方向）に並設されてそれぞれ表示ラインＬ６を形成する複数の行電極対（Ｘ６，Ｙ６）が形成されて、誘電体層（図示せず）によって被覆されている。
【０１６４】
この行電極対（Ｘ６，Ｙ６）を構成する行電極Ｘ６は、行方向に延びる金属膜からなる帯状のバス電極Ｘ６ａと、このバス電極Ｘ６ａに沿った等間隔位置に接続されて、バス電極Ｘ６ａから対になっている行電極Ｙ６側に向かって列方向に突出する透明電極Ｘ６ｂとによって構成されている。
【０１６５】
この透明電極Ｘ６ｂは、バス電極Ｘ６ａから対になっている行電極Ｙ６の方向に側に突出する脚部Ｘ６ｂ１と、この脚部Ｘ６ｂ１の中間部分から行方向左向きに突出する第１放電部Ｘ６ｂ２と、脚部Ｘ６ｂ１の先端部から基端部の全域に亘る右側部から行方向右向きに突出する第２放電部Ｘ６ｂ３とによって構成されている。
【０１６６】
この透明電極Ｘ６ｂの第１放電部Ｘ６ｂ２は、バス電極Ｙ６ａ側の縁部が行方向と平行に延び、バス電極Ｘ６ａ側の縁部が左方向に行くほどバス電極Ｙ６ａに接近する側に傾斜した三角形状に成形されている。
【０１６７】
第２放電部Ｘ６ｂ３は、バス電極Ｘ６ａ側の縁部が右方向に行くほどバス電極ｙ６ａに接近する側に傾斜し、バス電極Ｙ６ａ側の縁部が右方向に行くほどバス電極Ｘ６ａに接近する側に傾斜した三角形状に成形されている。
【０１６８】
行電極対（Ｘ６，Ｙ６）を構成する行電極Ｙ６も、行電極Ｘ６と同様に、行電極Ｘ６のバス電極Ｘ６ａとの間に所要の間隔を開けて平行に延びる金属膜からなる帯状のバス電極Ｙ６ａと、このバス電極Ｙ６ａに沿った等間隔位置に交互に接続されて、バス電極Ｙ６ａから対になっている行電極Ｘ６側に向かって列方向に突出する透明電極Ｙ６ｂとによって構成されている。
【０１６９】
この透明電極Ｙ６ｂは、行電極Ｘ６の互いに隣接する透明電極Ｘ６ｂの間の位置に対向する位置において、バス電極Ｙ６ａから対になっている行電極Ｘ６の側に列方向に突出する脚部Ｙ６ｂ１と、この脚部Ｙ６ｂ１の中間部分から行方向右向きに突出する第１放電部Ｙ６ｂ２と、脚部Ｙ６ｂ１の先端側部分から行方向左向きに突出する第２放電部Ｙ６ｂ３と、脚部Ｙ６ｂ１の基端側部分から行方向左向きに突出する第３放電部Ｙ６ｂ４とによって構成されている。
【０１７０】
この透明電極Ｙ６ｂの第１放電部Ｙ６ｂ２は、バス電極Ｘ６ａ側の縁部が行方向と平行に延び、バス電極Ｙ６ａ側の縁部が右方向に行くほどバス電極Ｘ６ａに接近する側に傾斜した三角形状に成形されている。
【０１７１】
第２放電部Ｙ６ｂ３は、バス電極Ｘ６ａ側の縁部が行方向と平行に延び、バス電極Ｙ６ａ側の縁部が左方向に行くほどバス電極Ｘ６ａに接近する側に傾斜した三角形状に成形されている。
【０１７２】
第２放電部Ｙ６ｂ４は、バス電極Ｙ６ａ側の縁部が行方向と平行に延び、バス電極Ｘ６ａ側の縁部が左方向に行くほどバス電極Ｙ６ａに接近する側に傾斜した三角形状に成形されている。
【０１７３】
そして、各透明電極Ｙ６ｂは、第１放電部Ｙ６ｂ２の傾斜している側の縁部が、それぞれ対になっている行電極Ｘ６の透明電極Ｘ６ｂの第１放電部Ｘ６ｂ２の傾斜している側の縁部と放電ギャップｇ１６を介して互いに対向され、第２放電部Ｙ６ｂ３の傾斜している側の縁部が透明電極Ｘ６ｂの第２放電部Ｘ６ｂ３のバス電極Ｘ６ａ側の傾斜している縁部と放電ギャップｇ１７を介して互いに対向され、第３放電部Ｙ６ｂ４の傾斜している側の縁部が透明電極Ｘ６ｂの第２放電部Ｘ６ｂ３のバス電極Ｙ６ａ側の傾斜している縁部と放電ギャップｇ１８を介して互いに対向されている。
【０１７４】
前面ガラス基板と放電空間を挟んで対向する背面ガラス基板（図示せず）の前面ガラス基板と対向する面上に、列方向に延びる第１列電極Ｄ１６，第２列電極Ｄ１７，第３列電極Ｄ１８が、それぞれ所要の間隔を開けて行方向に順に並設されている。
【０１７５】
この第１列電極Ｄ１６は、それぞれ、行電極Ｘ６の第１放電部Ｘ６ｂ２と行電極Ｙ６の第１放電部Ｙ６ｂ２に対向する位置において列方向に帯状に延びている。
【０１７６】
第２列電極Ｄ１７は、行電極Ｘ６の脚部Ｘ６ｂ１に対向する位置において列方向に帯状に延びる本体部Ｄ１７ａと、行電極Ｘ６の第２放電部Ｘ６ｂ３と行電極Ｙ６の第３放電部Ｙ６ｂ４との間の放電ギャップｇ１８と対向する位置に向かって、本体部Ｄ１７ａからそれぞれ行方向に沿って右向きに突出する複数の帯状の列電極突出部Ｄ１７ｂとによって構成されている。
【０１７７】
第３列電極Ｄ１８は、行電極Ｙ６の脚部Ｙ６ｂ１に対向する位置において列方向に帯状に延びる本体部Ｄ１８ａと、行電極Ｘ６の第２放電部Ｘ６ｂ３と行電極Ｙ６の第２放電部Ｙ６ｂ３との間の放電ギャップｇ１７に対向する位置に向かって、本体部Ｄ１８ａからそれぞれ行方向に沿って左向きに突出する複数の帯状の列電極突出部Ｄ１８ｂとによって構成されている。
【０１７８】
背面ガラス基板の前面ガラス基板と対向する面上には、第１列電極Ｄ１６，第２列電極Ｄ１７，第３列電極Ｄ１８を被覆する誘電体層が形成され、この誘電体層上に、放電空間を放電セル毎に区画する第５実施例の場合と同様の形状の隔壁Ｗ３が形成されている。
【０１７９】
そして、この隔壁Ｗ３によって、放電空間が、行電極Ｘ６の第１放電部Ｘ６ｂ２と行電極Ｙ６の第１放電部Ｙ６ｂ２に対向されて赤色の蛍光体層が形成された第１放電セルＣ６Ｒと、第２放電部Ｘ６ｂ３と第２放電部Ｙ６ｂ３の間の放電ギャップｇ１７に対向されて緑色の蛍光体層が形成された第２放電セルＣ６Ｇと、第２放電部Ｘ６ｂ３と第３放電部Ｙ６ｂ４の間の放電ギャップｇ１８に対向されて青色の蛍光体層が形成された第３放電セルＣ６Ｂとに区画されている。
【０１８０】
上記ＰＤＰの各放電セルのサイズおよび隔壁Ｗ３の各壁部の幅は、前述した第５実施例の場合と同様に設定されている。
【０１８１】
すなわち、第２第１放電セルＣ６Ｒの行方向の幅が１００μｍ、列方向の幅が２４０μｍよりも小さい値に設定され、第２放電セルＣ６Ｇおよび第３放電セルＣ６Ｂの行方向の幅と列方向の幅が、何れも１００μｍに設定されている。
【０１８２】
従って、上記ＰＤＰの第１放電セルＣ６Ｒおよび第２放電セルＣ６Ｇ，第３放電セルＣ６Ｂの三個の放電セルによって構成される画素Ｐ６の行方向の幅Ａ６および列方向の幅Ｂ６は、第１ないし第５実施例の場合と同様に、２５インチクラスのＰＤＰにおいてフルＨＤ（１９８０×１０８０）の画面を実現するために必要な画素サイズ３００μｍ×３００μｍを満足することが可能となる。
【０１８３】
以上のように、上記実施例のＰＤＰによれば、第４実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになるとともに、第１放電セルＣ６Ｒのサイズが、この第１放電セルＣ６Ｒにおける発光効率が向上されるのに対応して、前述した各実施例の場合に比べて小さくなっていることによって、他の第２放電セルＣ６Ｇおよび第３放電セルＣ６Ｂとの間の輝度バランスがより確実に確保されるようになる。
【０１８４】
さらに、上記ＰＤＰは、第４実施例のＰＤＰに比べて、透明電極Ｘ６ｂのパターンが簡単化されているため、ＰＤＰの製造時において、電極パターン形成時のプロセス歩留まりを改善することが出来る。
【実施例７】
【０１８５】
図１０は、この発明の実施形態における第７の実施例のＰＤＰの一表示ラインの構成を模式的に示す正面図である。
【０１８６】
この第７実施例のＰＤＰは、図１０において、前面ガラス基板（図示せず）の背面側に、行方向（図１０において左右の方向）に延び列方向（図１０において上下方向）に並設されてそれぞれ表示ラインＬ７を形成する複数の行電極対（Ｘ７，Ｙ７）が形成されて、誘電体層（図示せず）によって被覆されている。
【０１８７】
この行電極対（Ｘ７，Ｙ７）を構成する行電極Ｘ７は、行方向に延びる金属膜からなる帯状のバス電極Ｘ７ａと、このバス電極Ｘ７ａに沿った等間隔位置に交互に接続されて、バス電極Ｘ７ａから対になっている行電極Ｙ７側に向かって列方向に突出する第１透明電極Ｘ７ｂと第２透明電極Ｘ７ｃとによって構成されている。
【０１８８】
この行電極Ｘ７の第１透明電極Ｘ７ｂは、先端部の頂辺が行方向に対して平行な二等辺三角形状に成形された第１放電部Ｘ７ｂ１、および、この第１放電部Ｘ７ｂ１の頂角部分とバス電極Ｘ７ａとを接続する第１脚部Ｘ７ｂ２とによって構成されている。
【０１８９】
第２透明電極Ｘ７ｃは、バス電極Ｘ７ａから対になっている行電極Ｙ７の側に列方向に突出する第２脚部Ｘ７ｃ１と、この第２脚部Ｘ７ｃ１の先端側部分から行方向左向きに突出する第２放電部Ｘ７ｃ２と、第２脚部Ｘ７ｃ１の先端側部分から行方向右向きに突出する第３放電部Ｘ７ｃ３と、第２脚部Ｘ７ｃ１の基端側部分から行方向左向きに突出する第４放電部Ｘ７ｃ４と、第２脚部Ｘ７ｃ１の基端側部分から行方向右向きに突出する第５放電部Ｘ７ｃ５とによって構成されている。
【０１９０】
この透明電極Ｘ７ｃの第２放電部Ｘ７ｃ２および第４放電部Ｘ７ｃ４は、それぞれ、バス電極Ｘ７ａ側の縁部が行方向と平行に延び、バス電極Ｙ７ａ側の縁部が左方向に行くほどバス電極Ｘ７ａに接近する側に傾斜した三角形状に成形されている。
【０１９１】
第３放電部Ｘ７ｃ３と第５放電部Ｘ７ｃ５は、それぞれ、バス電極Ｘ７ａ側の縁部が行方向と平行に延び、バス電極Ｙ７ａ側の縁部が右方向に行くほどバス電極Ｘ７ａに接近する側に傾斜した三角形状に成形されている。
【０１９２】
そして、第４放電部Ｘ７ｃ４と第５放電部Ｘ７ｃ５は、それぞれ、バス電極Ｘ７ａ側の縁部がバス電極Ｘ７ａに接続されている。
【０１９３】
行電極対（Ｘ７，Ｙ７）を構成する行電極Ｙ７も、行電極Ｘ７のバス電極Ｘ７ａとの間に所要の間隔を開けて平行に延びる金属膜からなる帯状のバス電極Ｙ７ａと、このバス電極Ｙ７ａに沿った等間隔位置に交互に接続されて、バス電極Ｙ７ａから対になっている行電極Ｘ７側に向かって列方向に突出する第１透明電極Ｙ７ｂと第２透明電極Ｙ７ｃとによって構成されている。
【０１９４】
この行電極Ｙ７の第１透明電極Ｙ７ｂは、行電極Ｘ７の第１透明電極Ｘ７ｂとこの第１透明電極Ｘ７ｂの左側に位置する第２透明電極Ｘ７ｃの中間位置に対向する位置において、バス電極Ｙ７ａから対になっている行電極Ｘ７の側に列方向に突出する第１脚部Ｙ７ｂ１と、この第１脚部Ｙ７ｂ１の中間部分から行方向右向きに突出する第１放電部Ｙ７ｂ２と、第１脚部Ｙ７ｂ１の先端側部分から行方向左向きに突出する第２放電部Ｙ７ｂ３と、第１脚部Ｙ７ｂ１の基端側部分から行方向左向きに突出する第３放電部Ｙ７ｂ４とによって構成されている。
【０１９５】
この透明電極Ｙ７ｂの第１放電部Ｙ７ｂ２は、バス電極Ｘ７ａ側の縁部が行方向と平行に延び、バス電極Ｙ７ａ側の縁部が右方向に行くほどバス電極Ｘ７ａに接近する側に傾斜した三角形状に成形されている。
【０１９６】
第２放電部Ｙ７ｂ３と第３放電部Ｙ７ｂ４は、それぞれ、バス電極Ｙ７ａ側の縁部が行方向と平行に延び、バス電極Ｘ７ａ側の縁部が左方向に行くほどバス電極Ｙ７ａに接近する側に傾斜した三角形状に成形されている。
【０１９７】
この第３放電部Ｙ７ｃ４は、バス電極Ｙ７ａ側の縁部がバス電極Ｙ７ａに接続されている。
【０１９８】
そして、各第１透明電極Ｙ７ｂは、第１放電部Ｙ７ｂ２の傾斜している側の縁部が、それぞれ対になっている行電極Ｘ７の第１放電部Ｘ７ｂ１の左側の傾斜している縁部と放電ギャップｇ１９を介して互いに対向され、第２放電部Ｙ７ｂ３の傾斜している側の縁部が 行電極Ｘ７の第５放電部Ｘ７ｃ５の傾斜している側の縁部と放電ギャップｇ２０を介して互いに対向され、第３放電部Ｙ７ｂ４の傾斜している側の縁部が行電極Ｘ７の第３放電部Ｘ７ｃ３の傾斜している側の縁部と放電ギャップｇ２１を介して互いに対向されている。
【０１９９】
行電極Ｙ７の第２透明電極Ｙ７ｃは、行電極Ｘ７の第１透明電極Ｘ７ｂとこの第１透明電極Ｘ７ｂの右側に位置する第２透明電極Ｘ７ｃの間の位置に対向する位置において、バス電極Ｙ７ａから対になっている行電極Ｘ７の側に列方向に突出する第２脚部Ｙ７ｃ１と、この第２脚部Ｙ７ｃ１の中間部分から行方向左向きに突出する第４放電部Ｙ７ｃ２と、第２脚部Ｙ７ｃ１の先端側部分から行方向右向きに突出する第５放電部Ｙ７ｃ３と、第２脚部Ｙ７ｃ１の基端側部分から行方向右向きに突出する第６放電部Ｙ７ｂ４とによって構成されている。
【０２００】
この透明電極Ｙ７ｃの第４放電部Ｙ７ｂ２は、バス電極Ｘ７ａ側の縁部が行方向と平行に延び、バス電極Ｙ７ａ側の縁部が左方向に行くほどバス電極Ｘ７ａに接近する側に傾斜した三角形状に成形されている。
【０２０１】
第５放電部Ｙ７ｂ３と第５放電部Ｙ７ｂ４は、それぞれ、バス電極Ｙ７ａ側の縁部が行方向と平行に延び、バス電極Ｘ７ａ側の縁部が右方向に行くほどバス電極Ｙ７ａに接近する側に傾斜した三角形状に成形されている。
【０２０２】
この第６放電部Ｙ７ｃ４は、バス電極Ｙ７ａ側の縁部がバス電極Ｙ７ａに接続されている。
【０２０３】
そして、各第２透明電極Ｙ７ｃは、第４放電部Ｙ７ｃ２の傾斜している側の縁部が、それぞれ対になっている行電極Ｘ７の第１放電部Ｘ７ｂ１の右側の傾斜している縁部と放電ギャップｇ２２を介して互いに対向され、第５放電部Ｙ７ｃ３の傾斜している側の縁部が 行電極Ｘ７の第４放電部Ｘ７ｃ４の傾斜している側の縁部と放電ギャップｇ２３を介して互いに対向され、第６放電部Ｙ７ｃ４の傾斜している側の縁部が行電極Ｘ７の第２放電部Ｘ７ｃ２の傾斜している側の縁部と放電ギャップｇ２４を介して互いに対向されている。
【０２０４】
前面ガラス基板と放電空間を挟んで対向する背面ガラス基板（図示せず）の前面ガラス基板と対向する面上に、列方向に延びる第１列電極Ｄ１９，第２列電極Ｄ２０，第３列電極Ｄ２１，第４列電極Ｄ２２，第５列電極Ｄ２３，第６列電極Ｄ２４が、それぞれ所要の間隔を開けて並設されている。
【０２０５】
この第１列電極Ｄ１９は、それぞれ、放電ギャップｇ１９に対向する位置において列方向に帯状に延びている。
【０２０６】
第２列電極Ｄ２０は、それぞれ、放電ギャップｇ２２に対向する位置において列方向に帯状に延びている。
【０２０７】
第３列電極Ｄ２１は、行電極Ｘ７の脚部Ｘ７ｃ１の左側方部分に対向する位置において列方向に帯状に延びる本体部Ｄ２１ａと、放電ギャップｇ２３と対向する位置に向かって、本体部Ｄ２１ａからそれぞれ行方向に沿って左向きに突出する複数の帯状の列電極突出部Ｄ２１ｂとによって構成されている。
【０２０８】
第４列電極Ｄ２２は、行電極Ｘ７の脚部Ｘ７ｃ１の右側方部分に対向する位置において列方向に帯状に延びる本体部Ｄ２２ａと、放電ギャップｇ２１と対向する位置に向かって、本体部Ｄ２２ａからそれぞれ行方向に沿って右向きに突出する複数の帯状の列電極突出部Ｄ２２ｂとによって構成されている。
【０２０９】
第５列電極Ｄ２３は、行電極Ｙ７の第１脚部Ｙ７ｂ１に対向する位置において列方向に帯状に延びる本体部Ｄ２３ａと、放電ギャップｇ２０に対向する位置に向かって、本体部Ｄ２３ａからそれぞれ行方向に沿って左向きに突出する複数の帯状の列電極突出部Ｄ２３ｂとによって構成されている。
【０２１０】
第６列電極Ｄ２４は、行電極Ｙ７の第２脚部Ｙ７ｃ１に対向する位置において列方向に帯状に延びる本体部Ｄ２４ａと、放電ギャップｇ２４に対向する位置に向かって、本体部Ｄ２４ａからそれぞれ行方向に沿って右向きに突出する複数の帯状の列電極突出部Ｄ２４ｂとによって構成されている。
【０２１１】
背面ガラス基板の前面ガラス基板と対向する面上には、第１列電極Ｄ１９，第２列電極Ｄ２０，第３列電極Ｄ２１，第４列電極Ｄ２２，第５列電極Ｄ２３，第６列電極Ｄ２４を被覆する誘電体層が形成され、この誘電体層上に、放電空間を放電セル毎に区画する下記のような略格子形状の隔壁Ｗ４が形成されている。
【０２１２】
すなわち、隔壁Ｗ４は、図１１に示されるように、行電極Ｘ７の第１脚部Ｘ７ｂ２に対向する位置においてそれぞれ列方向に延びる第１縦壁Ｗ４ａと、第２脚部Ｘ７ｃ１に対向する位置においてそれぞれ列方向に延びる第２縦壁Ｗ４ｂと、行電極Ｙ７の第１脚部Ｙ７ｂ１に対向する位置においてそれぞれ列方向に延びる第３縦壁Ｗ４ｃと、第２脚部Ｙ７ｃ１に対向する位置においてそれぞれ列方向に延びる第４縦壁Ｗ４ｄと、バス電極Ｘ７ａ，Ｙ７ａに対向する部分においてそれぞれ行方向に延びる第１横壁Ｗ４ｅと、行電極Ｘ７の第２放電部Ｘ７ｃ２および第３放電部Ｘ７ｃ３と行電極Ｙ７の第２放電部Ｙ７ｂ３および第５放電部Ｙ７ｃ３の間の部分に対向する位置において、第２縦壁Ｗ４ｂを挟んで第３縦壁Ｗ４ｃと第４縦壁Ｗ４ｄ間に掛け渡された状態でそれぞれ行方向に延びる第２横壁Ｗ４ｆとを備えている。
【０２１３】
そして、この隔壁Ｗ４によって、放電空間が、放電ギャップｇ１９に対向されて赤色の蛍光体層が形成された方形の第１放電セルＣ７Ｒ１と、放電ギャップｇ２０に対向されて緑色の蛍光体層が形成された方形の第２放電セルＣ７Ｇ１と、放電ギャップｇ２１に対向されて青色の蛍光体層が形成された方形の第３放電セルＣ７Ｂ１と、放電ギャップｇ２２に対向されて赤色の蛍光体層が形成された方形の第４放電セルＣ７Ｒ２と、放電ギャップｇ２３に対向されて緑色の蛍光体層が形成された方形の第５放電セルＣ７Ｇ２と、放電ギャップｇ２４に対向されて青色の蛍光体層が形成された方形の第６放電セルＣ７Ｂ２とに区画されている。
【０２１４】
隔壁Ｗ４の第１ないし４縦壁Ｗ４ａ〜Ｗ４ｄおよび第２横壁Ｗ４ｆのそれぞれ幅は、前述した最小限必要な大きさの４０μｍに設定されている。
【０２１５】
そして、第１放電セルＣ７Ｒ１と第４放電セルＣ７Ｒ２のサイズは第３実施例の第１放電セルと同様（行方向の幅が１００μｍ，列方向の幅が２４０μｍ）に設定され、第２放電セルＣ７Ｇ１，第３放電セルＣ７Ｂ１，第５放電セルＣ７Ｇ２，第６放電セルＣ７Ｂ２のサイズも第３実施例の第２放電セルおよび第３放電セルと同様（行方向の幅および列方向の幅が何れも１００μｍ）に設定されている。
【０２１６】
上記ＰＤＰは、第１放電セルＣ７Ｒ１および第２放電セルＣ７Ｇ１，第３放電セルＣ７Ｂ１の三個の放電セルによって第１画素Ｐ７ａが構成され、第４放電セルＣ７Ｒ２および第５放電セルＣ７Ｇ２，第６放電セルＣ７Ｂ２の三個の放電セルによって第２画素Ｐ７ｂが構成されており、この各放電セルの配置が行方向において線対称になっている第１画素Ｐ７ａと第２画素Ｐ７ｂが、行方向に交互に配置されている。
【０２１７】
そして、この第１画素Ｐ７ａと第２画素Ｐ７ｂの行方向および列方向の幅が、第３実施例の場合と同様に、２５インチクラスのＰＤＰにおいてフルＨＤ（１９８０×１０８０）の画面を実現するために必要な画素サイズ３００μｍ×３００μｍを満足する。
【０２１８】
以上のように、上記実施例のＰＤＰによれば、第３実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【実施例８】
【０２１９】
図１２は、この発明の実施形態における第８の実施例のＰＤＰの一表示ラインの構成を模式的に示す正面図である。
【０２２０】
この第８実施例のＰＤＰは、図１２において、前面ガラス基板（図示せず）の背面側に、行方向（図１２において左右の方向）に延び列方向（図１２において上下方向）に並設されてそれぞれ表示ラインＬ８を形成する複数の行電極対（Ｘ８，Ｙ８）が形成されて、誘電体層（図示せず）によって被覆されている。
【０２２１】
この行電極対（Ｘ８，Ｙ８）を構成する行電極Ｘ８は、行方向に延びる金属膜からなる帯状のバス電極Ｘ８ａと、このバス電極Ｘ８ａに沿った等間隔位置に接続されて、バス電極Ｘ８ａから対になっている行電極Ｙ８側に向かって列方向に突出する透明電極Ｘ８ｂとによって構成されている。
【０２２２】
この透明電極Ｘ８ｂは、バス電極Ｘ８ａから対になっている行電極Ｙ８の方向に側に突出する脚部Ｘ８ｂ１と、この脚部Ｘ８ｂ１の前端部から基端部の全域の部分において行方向右向きに突出する第１放電部Ｘ８ｂ２と、脚部Ｘ８ｂ１の先端部分から行方向左向きに突出する第２放電部Ｘ８ｂ３と、脚部Ｘ８ｂ１の基端部分から行方向左向きに突出する第３放電部Ｘ８ｂ４とによって構成されている。
【０２２３】
この透明電極Ｘ８ｂの第１放電部Ｘ８ｂ２は、バス電極Ｘ８ａ側とバス電極Ｙ８ａ側の縁部がそれぞれ傾斜した二等辺三角形状に成形されている。
【０２２４】
第２放電部Ｘ８ｂ３は、バス電極Ｙ８ａ側の縁部が行方向と平行に延び、バス電極Ｘ８ａ側の縁部が左方向に行くほどバス電極Ｙ８ａに接近する側に傾斜した三角形状に成形されている。
【０２２５】
第３放電部Ｘ８ｂ４は、バス電極Ｘ８ａ側の縁部が行方向と平行に延び、バス電極Ｙ８ａ側の縁部が左方向に行くほどバス電極Ｘ８ａに接近する側に傾斜した三角形状に成形されている。
【０２２６】
行電極対（Ｘ８，Ｙ８）を構成する行電極Ｙ８も、行電極Ｘ８と同様に、行電極Ｘ８のバス電極Ｘ８ａとの間に所要の間隔を開けて平行に延びる金属膜からなる帯状のバス電極Ｙ８ａと、このバス電極Ｙ８ａに沿った等間隔位置に接続されて、バス電極Ｙ８ａから対になっている行電極Ｘ８側に向かって列方向に突出する透明電極Ｙ８ｂとによって構成されている。
【０２２７】
この透明電極Ｙ８ｂは、行電極Ｘ８の互いに隣接する透明電極Ｘ８ｂの間の位置に対向する位置においてバス電極Ｙ８ａから対になっている行電極Ｘ８の方向に突出する脚部Ｙ８ｂ１と、この脚部Ｙ８ｂ１の前端部から基端部の全域の部分において行方向右向きに突出する第１放電部Ｙ８ｂ２と、脚部Ｙ８ｂ１の先端部分から行方向左向きに突出する第２放電部Ｙ８ｂ３と、脚部Ｙ８ｂ１の基端部分から行方向左向きに突出する第３放電部Ｙ８ｂ４とによって構成されている。
【０２２８】
この透明電極Ｙ８ｂの第１放電部Ｙ８ｂ２は、バス電極Ｘ８ａ側とバス電極Ｙ８ａ側の縁部がそれぞれ傾斜した二等辺三角形状に成形されている。
【０２２９】
第２放電部Ｙ８ｂ３は、バス電極Ｘ８ａ側の縁部が行方向と平行に延び、バス電極Ｙ８ａ側の縁部が左方向に行くほどバス電極Ｘ６ａに接近する側に傾斜した三角形状に成形されている。
【０２３０】
第３放電部Ｙ８ｂ４は、バス電極Ｙ８ａ側の縁部が行方向と平行に延び、バス電極Ｘ８ａ側の縁部が左方向に行くほどバス電極Ｙ８ａに接近する側に傾斜した三角形状に成形されている。
【０２３１】
そして、各透明電極Ｙ８ｂは、第１放電部Ｙ８ｂ２の両側の傾斜した縁部が、それぞれ行電極Ｘ８の第２放電部Ｘ８ｂ３および第３放電部Ｘ８ｂ４の傾斜している側の縁部とそれぞれ放電ギャップｇ２５を介して互いに対向され、第２放電部Ｙ８ｂ３の傾斜している側の縁部が行電極Ｘ８の第１放電部Ｘ８ｂ２のバス電極Ｘ８ａ側の傾斜した縁部に放電ギャップｇ２６を介して対向され、第３放電部Ｙ８ｂ４の傾斜している側の縁部が行電極Ｘ８の第１放電部Ｘ８ｂ２のバス電極Ｙ８ａ側の傾斜した縁部に放電ギャップｇ２７を介して対向されている。
【０２３２】
前面ガラス基板と放電空間を挟んで対向する背面ガラス基板（図示せず）の前面ガラス基板と対向する面上に、列方向に延びる第１列電極Ｄ２５，第２列電極Ｄ２６，第３列電極Ｄ２７が、それぞれ所要の間隔を開けて行方向に順に並設されている。
【０２３３】
この第１列電極Ｄ２５は、それぞれ、放電ギャップｇ２５に対向する位置において列方向に帯状に延びている。
【０２３４】
第２列電極Ｄ２６は、行電極Ｘ８の脚部Ｘ８ｂ１に対向する位置において列方向に帯状に延びる本体部Ｄ２６ａと、放電ギャップｇ２７と対向する位置に向かって、本体部Ｄ２６ａからそれぞれ行方向に沿って右向きに突出する複数の帯状の列電極突出部Ｄ２６ｂとによって構成されている。
【０２３５】
第３列電極Ｄ２７は、行電極Ｙ８の脚部Ｙ８ｂ１に対向する位置において列方向に帯状に延びる本体部Ｄ２７ａと、放電ギャップｇ２６に対向する位置に向かって、本体部Ｄ２７ａからそれぞれ行方向に沿って左向きに突出する複数の帯状の列電極突出部Ｄ２７ｂとによって構成されている。
【０２３６】
背面ガラス基板の前面ガラス基板と対向する面上には、第１列電極Ｄ２５，第２列電極Ｄ２６，第３列電極Ｄ２７を被覆する誘電体層が形成され、この誘電体層上に、放電空間を放電セル毎に区画する第３実施例の場合と同様の形状の隔壁Ｗ２が形成されている。
【０２３７】
そして、この隔壁Ｗ２によって、放電空間が、放電ギャップｇ２５に対向されて赤色の蛍光体層が形成された第１放電セルＣ８Ｒと、放電ギャップｇ２６に対向されて緑色の蛍光体層が形成された第２放電セルＣ８Ｇと、放電ギャップｇ２７に対向されて青色の蛍光体層が形成された第３放電セルＣ８Ｂとに区画されている。
【０２３８】
上記ＰＤＰの隔壁Ｗ２の各放電セル間の壁部の幅は、前述した第３実施例の場合と同様（４０μｍ）に設定されている。
【０２３９】
そして、第１放電セルＣ８Ｒのサイズは第３実施例の第１放電セルと同様（行方向の幅が１００μｍ，列方向の幅が２４０μｍ）に設定され、第２放電セルＣ８Ｇ，第３放電セルＣ８Ｂのサイズも第３実施例の第２放電セルおよび第３放電セルと同様（行方向および列方向の幅が何れも１００μｍ）に設定されている。
【０２４０】
上記ＰＤＰは、第１放電セルＣ８Ｒおよび第２放電セルＣ８Ｇ，第３放電セルＣ８Ｂの三個の放電セルによって画素Ｐ８が構成されている。
【０２４１】
そして、この画素Ｐ８の行方向および列方向の幅が、第３実施例の場合と同様に、２５インチクラスのＰＤＰにおいてフルＨＤ（１９８０×１０８０）の画面を実現するために必要な画素サイズ３００μｍ×３００μｍを満足する。
【０２４２】
以上のように、上記実施例のＰＤＰによれば、第３実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【０２４３】
さらに、上記実施例のＰＤＰによれば、第１放電セルＣ８Ｒ内において、行電極Ｙ８の第１放電部Ｙ８ｂ２の両側の二箇所に放電ギャップｇ２５が形成されて放電が行なわれるので、例えば第６実施例等のＰＤＰと比べて、放電電流がほぼ２倍になり、発光効率が向上される。
【実施例９】
【０２４４】
図１３は、この発明の実施形態における第９の実施例のＰＤＰの一表示ラインの構成を模式的に示す正面図である。
【０２４５】
この第９実施例のＰＤＰは、図１３において、前面ガラス基板（図示せず）の背面側に、行方向（図１３において左右の方向）に延び列方向（図１３において上下方向）に並設されてそれぞれ表示ラインＬ９を形成する複数の行電極対（Ｘ９，Ｙ９）が形成されて、誘電体層（図示せず）によって被覆されている。
【０２４６】
この行電極対（Ｘ９，Ｙ９）を構成する行電極Ｘ９は、行方向に延びる金属膜からなる帯状のバス電極Ｘ９ａと、このバス電極Ｘ９ａに沿った等間隔位置に交互に接続されて、バス電極Ｘ９ａから対になっている行電極Ｙ９側に向かって列方向に突出する第１透明電極Ｘ９ｂおよび第２透明電極Ｘ９ｃとによって構成されている。
【０２４７】
この第１透明電極Ｘ９ｂは、バス電極Ｘ９ａから対になっている行電極Ｙ９の方向に側に突出する第１脚部Ｘ９ｂ１と、この第１脚部Ｘ９ｂ１の先端部分から行方向左向きに突出する第１放電部Ｘ９ｂ２と、第１脚部Ｘ９ｂ１の先端部分から行方向右向きに突出する第２放電部Ｘ９ｂ３と、第１脚部Ｘ９ｂ１の基端部分から行方向左向きに突出する第３放電部Ｘ９ｂ４と、第１脚部Ｘ９ｂ１の基端部分から行方向右向きに突出する第４放電部Ｘ９ｂ５とによって構成されている。
【０２４８】
この第１透明電極Ｘ９ｂの第１放電部Ｘ９ｂ２は、バス電極Ｙ９ａ側の縁部が行方向と平行に延び、バス電極Ｘ９ａ側の縁部が左方向に行くほどバス電極Ｙ６ａに接近する側に傾斜した三角形状に成形されている。
【０２４９】
第２放電部Ｘ９ｂ３は、バス電極Ｙ９ａ側の縁部が行方向と平行に延び、バス電極Ｘ９ａ側の縁部が右方向に行くほどバス電極Ｙ６ａに接近する側に傾斜した三角形状に成形されている。
【０２５０】
第３放電部Ｘ９ｂ４は、バス電極Ｘ９ａ側の縁部が行方向と平行に延び、バス電極Ｙ９ａ側の縁部が左方向に行くほどバス電極Ｘ６ａに接近する側に傾斜した三角形状に成形されている。
【０２５１】
第４放電部Ｘ９ｂ５は、バス電極Ｘ９ａ側の縁部が行方向と平行に延び、バス電極Ｙ９ａ側の縁部が右方向に行くほどバス電極Ｘ６ａに接近する側に傾斜した三角形状に成形されている。
【０２５２】
第２透明電極Ｘ９ｃは、バス電極Ｘ９ａから対になっている行電極Ｙ９の方向に側に突出する第２脚部Ｘ９ｃ１と、この第２脚部Ｘ９ｃ１の前端部から基端部の全域の部分において行方向左向きに突出する第５放電部Ｘ９ｃ２と、第２脚部Ｘ９ｃ１の前端部から基端部の全域の部分において行方向右向きに突出する第６放電部Ｘ９ｃ３とによって構成されている。
【０２５３】
この第２透明電極Ｘ９ｃの第５放電部Ｘ９ｃ２と第６放電部Ｘ９ｃ３は、それぞれ、バス電極Ｘ８ａ側とバス電極Ｙ８ａ側の縁部がそれぞれ傾斜した二等辺三角形状に成形されている。
【０２５４】
行電極対（Ｘ９，Ｙ９）を構成する行電極Ｙ９も、行電極Ｘ９のバス電極Ｘ９ａとの間に所要の間隔を開けて平行に延びる金属膜からなる帯状のバス電極Ｙ９ａと、このバス電極Ｙ９ａに沿った等間隔位置に交互に接続されて、バス電極Ｙ９ａから対になっている行電極Ｘ９側に向かって列方向に突出する第１透明電極Ｙ９ｂと第２透明電極Ｙ９ｃによって構成されている。
【０２５５】
この第１透明電極Ｙ９ｂは、行電極Ｘ９の第１透明電極Ｘ９ｂとこの第１透明電極Ｘ９ｂの左側に隣接する第２透明電極Ｘ９ｃの間の位置に対向する位置においてバス電極Ｙ９ａから対になっている行電極Ｘ９の方向に側に突出する第１脚部Ｙ９ｂ１と、この第１脚部Ｙ９ｂ１の前端部から基端部の全域の部分において行方向右向きに突出する第１放電部Ｙ９ｂ２と、第１脚部Ｙ９ｂ１の先端部分から行方向左向きに突出する第２放電部Ｙ９ｂ３と、第１脚部Ｙ９ｂ１の基端部分から行方向左向きに突出する第３放電部Ｙ９ｂ４とによって構成されている。
【０２５６】
この透明電極Ｙ９ｂの第１放電部Ｙ９ｂ２は、バス電極Ｘ９ａ側とバス電極Ｙ９ａ側の縁部がそれぞれ傾斜した二等辺三角形状に成形されている。
【０２５７】
第２放電部Ｙ９ｂ３は、バス電極Ｘ９ａ側の縁部が行方向と平行に延び、バス電極Ｙ９ａ側の縁部が左方向に行くほどバス電極Ｘ９ａに接近する側に傾斜した三角形状に成形されている。
【０２５８】
第３放電部Ｙ９ｂ４は、バス電極Ｙ９ａ側の縁部が行方向と平行に延び、バス電極Ｘ９ａ側の縁部が左方向に行くほどバス電極Ｙ６ａに接近する側に傾斜した三角形状に成形されている。
【０２５９】
第２透明電極Ｙ９ｃは、行電極Ｘ９の第１透明電極Ｘ９ｂとこの第１透明電極Ｘ９ｂの右側に隣接する第２透明電極Ｘ９ｃの間の位置に対向する位置においてバス電極Ｙ９ａから対になっている行電極Ｘ９の方向に突出する第２脚部Ｙ９ｃ１と、この第２脚部Ｙ９ｃ１の前端部から基端部の全域の部分において行方向左向きに突出する第４放電部Ｙ９ｃ２と、第２脚部Ｙ９ｃ１の先端部分から行方向右向きに突出する第５放電部Ｙ９ｃ３と、第２脚部Ｙ９ｃ１の基端部分から行方向左向きに突出する第６放電部Ｙ９ｃ４とによって構成されている。
【０２６０】
この第２透明電極Ｙ９ｃの第４放電部Ｙ９ｃ２は、バス電極Ｘ９ａ側とバス電極Ｙ９ａ側の縁部がそれぞれ傾斜した二等辺三角形状に成形されている。
【０２６１】
第５放電部Ｙ９ｃ３は、バス電極Ｘ９ａ側の縁部が行方向と平行に延び、バス電極Ｙ９ａ側の縁部が右方向に行くほどバス電極Ｘ９ａに接近する側に傾斜した三角形状に成形されている。
【０２６２】
第６放電部Ｙ９ｃ４は、バス電極Ｙ９ａ側の縁部が行方向と平行に延び、バス電極Ｘ９ａ側の縁部が右方向に行くほどバス電極Ｙ６ａに接近する側に傾斜した三角形状に成形されている。
【０２６３】
そして、各第１透明電極Ｙ９ｂおよび第２透明電極Ｙ９ｃは、第１放電部Ｙ９ｂ２の両側の傾斜した縁部が、それぞれ行電極Ｘ９の第１放電部Ｘ９ｂ２と第３放電部Ｘ９ｂ４の傾斜している側の縁部とそれぞれ放電ギャップｇ２８を介して互いに対向され、第２放電部Ｙ９ｂ３の傾斜している側の縁部が行電極Ｘ９の第６放電部Ｘ９ｃ３のバス電極Ｘ９ａ側の傾斜した縁部に放電ギャップｇ２９を介して対向され、第３放電部Ｙ９ｂ４の傾斜している側の縁部が行電極Ｘ９の第６放電部Ｘ９ｃ３のバス電極Ｙ９ａ側の傾斜した縁部に放電ギャップｇ３０を介して対向され、第４放電部Ｙ９ｃ２の両側の傾斜した縁部が、それぞれ行電極Ｘ９の第２放電部Ｘ９ｂ３と第４放電部Ｘ９ｂ５の傾斜している側の縁部とそれぞれ放電ギャップｇ３１を介して互いに対向され、第５放電部Ｙ９ｃ３の傾斜している側の縁部が行電極Ｘ９の第５放電部Ｘ９ｃ２のバス電極Ｘ９ａ側の傾斜した縁部に放電ギャップｇ３２を介して対向され、第６放電部Ｙ９ｃ４の傾斜している側の縁部が行電極Ｘ９の第５放電部Ｘ９ｃ２のバス電極Ｙ９ａ側の傾斜した縁部に放電ギャップｇ３３を介して対向されている。
【０２６４】
前面ガラス基板と放電空間を挟んで対向する背面ガラス基板（図示せず）の前面ガラス基板と対向する面上に、列方向に延びる第１列電極Ｄ２８，第２列電極Ｄ２９，第３列電極Ｄ３０，第４列電極Ｄ３１，第５列電極Ｄ３２，第６列電極Ｄ３３が、それぞれ所要の間隔を開けて行方向に並設されている。
【０２６５】
この第１列電極Ｄ２８は、放電ギャップｇ２８に対向する位置において列方向に帯状に延びている。
【０２６６】
第２列電極Ｄ２９は、行電極Ｘ９の第２脚部Ｘ９ｃ１の右側方部分に対向する位置において列方向に帯状に延びる本体部Ｄ２９ａと、放電ギャップｇ３０と対向する位置に向かって、本体部Ｄ２９ａからそれぞれ行方向に沿って右向きに突出する複数の帯状の列電極突出部Ｄ２９ｂとによって構成されている。
【０２６７】
第３列電極Ｄ３０は、行電極Ｙ９の第１脚部Ｙ９ｂ１に対向する位置において列方向に帯状に延びる本体部Ｄ３０ａと、放電ギャップｇ２９に対向する位置に向かって、本体部Ｄ３０ａからそれぞれ行方向に沿って左向きに突出する複数の帯状の列電極突出部Ｄ３０ｂとによって構成されている。
【０２６８】
第４列電極Ｄ３１は、放電ギャップｇ３１に対向する位置において列方向に帯状に延びている。
【０２６９】
第５列電極Ｄ３２は、行電極Ｘ９の第２脚部Ｘ９ｃ１の左側方部分に対向する位置において列方向に帯状に延びる本体部Ｄ３２ａと、放電ギャップｇ３２と対向する位置に向かって、本体部Ｄ３２ａからそれぞれ行方向に沿って左向きに突出する複数の帯状の列電極突出部Ｄ３２ｂとによって構成されている。
【０２７０】
第６列電極Ｄ３３は、行電極Ｙ９の第２脚部Ｙ９ｃ１に対向する位置において列方向に帯状に延びる本体部Ｄ３３ａと、放電ギャップｇ３３に対向する位置に向かって、本体部Ｄ３３ａからそれぞれ行方向に沿って右向きに突出する複数の帯状の列電極突出部Ｄ３３ｂとによって構成されている。
【０２７１】
背面ガラス基板の前面ガラス基板と対向する面上には、第１列電極Ｄ２８，第２列電極Ｄ２９，第３列電極Ｄ３０，第４列電極Ｄ３１，第５列電極Ｄ３２，第６列電極Ｄ３３を被覆する誘電体層が形成され、この誘電体層上に、放電空間を放電セル毎に区画する第７実施例の場合と同様の形状の隔壁Ｗ４が形成されている。
【０２７２】
そして、この隔壁Ｗ４によって、放電空間が、放電ギャップｇ２８に対向されて赤色の蛍光体層が形成された第１放電セルＣ９Ｒ１と、放電ギャップｇ２９に対向されて緑色の蛍光体層が形成された第２放電セルＣ９Ｇ１と、放電ギャップｇ３０に対向されて青色の蛍光体層が形成された第３放電セルＣ９Ｂ１と、放電ギャップｇ３１に対向されて赤色の蛍光体層が形成された第４放電セルＣ９Ｒ２と、放電ギャップｇ３２に対向されて緑色の蛍光体層が形成された第２放電セルＣ９Ｇ２と、放電ギャップｇ３３に対向されて青色の蛍光体層が形成された第３放電セルＣ９Ｂ２とに区画されている。
【０２７３】
上記ＰＤＰの隔壁Ｗ４の各放電セル間の壁部の幅は、前述した第７実施例の場合と同様（４０μｍ）に設定されている。
【０２７４】
そして、第１放電セルＣ９Ｒ１と第４放電セルＣ９Ｒ２のサイズは第３実施例の第１放電セルと同様（行方向の幅が１００μｍ，列方向の幅が２４０μｍ）に設定され、第２放電セルＣ９Ｇ１，第３放電セルＣ９Ｂ１，第５放電セルＣ９Ｇ２，第６放電セルＣ９Ｂ２のサイズも第３実施例の第２放電セルおよび第３放電セルと同様（行方向および列方向の幅が何れも１００μｍ）に設定されている。
【０２７５】
上記ＰＤＰは、第１放電セルＣ９Ｒ１および第２放電セルＣ９Ｇ１，第３放電セルＣ９Ｂ１の三個の放電セルによって第１画素Ｐ９ａが構成され、第４放電セルＣ９Ｒ２および第５放電セルＣ９Ｇ２，第６放電セルＣ９Ｂ２の三個の放電セルによって第２画素Ｐ９ｂが構成されており、この各放電セルの配置が行方向において線対称になっている第１画素Ｐ９ａと第２画素Ｐ９ｂが、行方向に交互に配置されている。
【０２７６】
そして、この第１画素Ｐ９ａと第２画素Ｐ９ｂの行方向および列方向の幅が、第３実施例の場合と同様に、２５インチクラスのＰＤＰにおいてフルＨＤ（１９８０×１０８０）の画面を実現するために必要な画素サイズ３００μｍ×３００μｍを満足する。
【０２７７】
以上のように、上記実施例のＰＤＰによれば、第３実施例のＰＤＰと同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【実施例１０】
【０２７８】
図１４は、この発明の実施形態における第１０の実施例のＰＤＰの一表示ラインの構成を模式的に示す正面図である。
【０２７９】
この第１０実施例のＰＤＰは、図１４において、前面ガラス基板（図示せず）の背面側に、行方向（図１４において左右の方向）に延び列方向（図１４において上下方向）に並設されてそれぞれ表示ラインＬ１０を形成する複数の行電極対（Ｘ１０，Ｙ１０）が形成されて、誘電体層（図示せず）によって被覆されている。
【０２８０】
この行電極対（Ｘ１０，Ｙ１０）を構成する行電極Ｘ１０は、行方向に延びる金属膜からなる帯状のバス電極Ｘ１０ａと、このバス電極Ｘ１０ａに沿った等間隔位置に接続されて、バス電極Ｘ１０ａから対になっている行電極Ｙ１０側に向かって列方向に突出する透明電極Ｘ１０ｂとによって構成されている。
【０２８１】
この行電極Ｘ１０の透明電極Ｘ１０ｂは、バス電極Ｘ１０ａから行電極Ｙ１０側に列方向に突出する脚部Ｘ１０ｂ１と、この脚部Ｘ１０ｂ１の先端部において行方向に帯状に延びる第１放電部Ｘ１０ｂ２と、脚部Ｘ１０ｂ１の基端部分から行方向右側に帯状に突出する第２放電部Ｘ１０ｂ３と、脚部Ｘ１０ｂ１の基端部分から行方向左側に帯状に突出する第３放電部Ｘ１０ｂ４とによって構成されている。
【０２８２】
行電極対（Ｘ１０，Ｙ１０）を構成する行電極Ｙ１０は、行方向に延びる金属膜からなる帯状のバス電極Ｙ１０ａと、このバス電極Ｙ１０ａから対になっている行電極Ｘ１０側に向かって列方向に突出する透明電極Ｙ１０ｂとによって構成されている。
【０２８３】
この行電極Ｙ１０の透明電極Ｙ１０ｂは、バス電極Ｙ１０ａの行電極Ｘ１０の隣接する透明電極Ｘ１０ｂの間の位置に対向する位置において、バス電極Ｙ１０ａから行電極Ｘ１０側にそれぞれ列方向に突出する複数の脚部Ｙ１０ｂ１と、行電極Ｘ１０の第１放電部Ｘ１０ｂ２とバス電極Ｙ１０ａの間の位置において、隣接する脚部Ｙ１０ｂ１間に掛け渡された状態で行方向に帯状に延びる第１放電部Ｙ１０ｂ２と、行電極Ｘ１０の第１放電部Ｘ１０ｂ２と第２放電部Ｘ１０ｂ３の間の位置において、脚部Ｙ１０ｂ１の先端部から行方向左向きに突出する第２放電部Ｙ１０ｂ３と、行電極Ｘ１０の第１放電部Ｘ１０ｂ２と第３放電部Ｘ１０ｂ４の間の位置において、脚部Ｙ１０ｂ１の先端部から行方向右向きに突出する第３放電部Ｙ１０ｂ４とによって構成されている。
【０２８４】
そして、この透明電極Ｙ１０ｂは、第１放電部Ｙ１０ｂ２が、それぞれ行電極Ｘ１０の第１放電部Ｘ１０ｂ２と放電ギャップｇ３４を介して互いに対向され、第２放電部Ｙ１０ｂ３が、行電極Ｘ１０の第２放電部Ｘ１０ｂ３に放電ギャップｇ３５を介して対向され、第３放電部Ｙ１０ｂ４が、行電極Ｘ１０の第３放電部Ｘ１０ｂ４に放電ギャップｇ３６を介して対向されている。
【０２８５】
前面ガラス基板と放電空間を挟んで対向する背面ガラス基板（図示せず）の前面ガラス基板と対向する面上に、列方向に延びる第１列電極Ｄ３４，第２列電極Ｄ３５，第３列電極Ｄ３６が、それぞれ所要の間隔を開けて行方向に並設されている。
【０２８６】
この第１列電極Ｄ３４は、行電極Ｘ１０の脚部Ｘ１０ｂ１に対向する位置において列方向に延びて、放電ギャップｇ３４に対向されている。
【０２８７】
第２列電極Ｄ３５は、行電極Ｙ１０の脚部Ｘ１０ｂ１の左側方部分に対向する位置において列方向に帯状に延びる本体部Ｄ３５ａと、放電ギャップｇ３５と対向する位置に向かって、本体部Ｄ３５ａからそれぞれ行方向に沿って左向きに突出する複数の帯状の列電極突出部Ｄ３５ｂとによって構成されている。
【０２８８】
第３列電極Ｄ３６は、行電極Ｙ１０の脚部Ｘ１０ｂ１の右側方部分に対向する位置において列方向に帯状に延びる本体部Ｄ３６ａと、放電ギャップｇ３６と対向する位置に向かって、本体部Ｄ３６ａからそれぞれ行方向に沿って右向きに突出する複数の帯状の列電極突出部Ｄ３６ｂとによって構成されている。
【０２８９】
背面ガラス基板の前面ガラス基板と対向する面上には、第１列電極Ｄ３４，第２列電極Ｄ３５，第３列電極Ｄ３６を被覆する誘電体層が形成され、この誘電体層上に、下記のような略格子形状の隔壁Ｗ５が形成されている。
【０２９０】
すなわち、この隔壁Ｗ５は、行電極Ｙ１０の脚部Ｙ１０ｂ１に対向する位置において列方向に延びる第１縦壁Ｗ５ａと、バス電極Ｘ１０ａ，Ｙ１０ａに対向する部分においてそれぞれ行方向に延びる第１横壁Ｗ４ｂと、行電極Ｘ１０の第１放電部Ｘ１０ｂ２と行電極Ｙ１０の第２放電部Ｙ１０ｂ３および第３放電部Ｙ１０ｂ４との間の部分に対向する位置において、隣接する第１縦壁Ｗ５ａ間に掛け渡された状態で行方向に延びる第２横壁Ｗ４ｃと、行電極Ｘ１０の脚部Ｘ１０ｂ１に対向する位置において、バス電極Ｘ１０ａに対向する第１横壁Ｗ４ｂと第２横壁Ｗ４ｃ間に掛け渡された状態で列方向に延びる第２縦壁Ｗ４ｄとを備えている。
【０２９１】
この隔壁Ｗ５によって、放電空間が、放電ギャップｇ３４に対向されて赤色の蛍光体層が形成された第１放電セルＣ１０Ｒと、放電ギャップｇ３５に対向されて緑色の蛍光体層が形成された第２放電セルＣ１０Ｇと、放電ギャップｇ３６に対向されて青色の蛍光体層が形成された第３放電セルＣ１０Ｂとに区画されている。
【０２９２】
上記ＰＤＰは、第１放電セルＣ１０Ｒと、この第１放電セルＣ１０Ｒの上方に行方向に並んだ第２放電セルＣ１０Ｇおよび第３放電セルＣ１０Ｂの三個の放電セルによって画素Ｐ１０が構成されている。
【０２９３】
この画素Ｐ１０の行方向と列方向の幅は、第１放電セルＣ１０Ｒ，第２放電セルＣ１０Ｇ，第３放電セルＣ１０Ｂのそれぞれの行方向と列方向の幅、および、隔壁Ｗ５の各放電セル間の幅が、前述した各実施例の場合と同様に設定されることによって、２５インチクラスのＰＤＰにおいてフルＨＤ（１９８０×１０８０）の画面を実現するために必要な画素サイズ３００μｍ×３００μｍが満足される。
【０２９４】
以上のように、上記実施例のＰＤＰによれば、前述した各実施例の場合と同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【実施例１１】
【０２９５】
図１５は、この発明の実施形態における第１１の実施例のＰＤＰの一表示ラインの構成を模式的に示す正面図である。
【０２９６】
この第１１実施例のＰＤＰは、図１５において、前面ガラス基板（図示せず）の背面側に、行方向（図１５において左右の方向）に延び列方向（図１５において上下方向）に並設されてそれぞれ表示ラインＬ１１を形成する複数の行電極対（Ｘ１１，Ｙ１１）が形成されて、誘電体層（図示せず）によって被覆されている。
【０２９７】
この行電極対（Ｘ１１，Ｙ１１）を構成する行電極Ｘ１１は、行方向に延びる金属膜からなる帯状のバス電極Ｘ１１ａと、このバス電極Ｘ１１ａに沿った等間隔位置に接続されて、バス電極Ｘ１１ａから対になっている行電極Ｙ１１側に向かって列方向に突出する透明電極Ｘ１１ｂとによって構成されている。
【０２９８】
この行電極Ｘ１１の透明電極Ｘ１１ｂは、バス電極Ｘ１１ａから行電極Ｙ１１に近接する位置まで列方向に突出する長方形の第１放電部Ｘ１１ｂ１と、列方向において第１放電部Ｘ１１ｂ１の略半分の長さを有し、第１放電部Ｘ１１ｂ１の左側位置において第１放電部Ｘ１１ｂ１と一体的に形成された方形の第２放電部Ｘ１１ｂ２とによって構成されている。
【０２９９】
行電極対（Ｘ１１，Ｙ１１）を構成する行電極Ｙ１１は、行方向に延びる金属膜からなる帯状のバス電極Ｙ１１ａと、このバス電極Ｙ１１ａに沿った等間隔位置に接続されて、バス電極Ｙ１１ａから対になっている行電極Ｘ１１側に向かって列方向に突出する透明電極Ｙ１１ｂとによって構成されている。
【０３００】
この行電極Ｙ１１の透明電極Ｙ１１ｂは、バス電極Ｙ１１ａの行電極Ｘ１１の隣接する透明電極Ｘ１１ｂの間の位置に対向する位置において、バス電極Ｙ１１ａから行電極Ｘ１１に近接する位置まで列方向に突出する長方形の第１放電部Ｙ１１ｂ１と、列方向において第１放電部Ｙ１１ｂ１の略半分の長さを有し、第１放電部Ｙ１１ｂ１の右側位置において第１放電部Ｙ１１ｂ１と一体的に形成された方形の第２放電部Ｙ１１ｂ２とによって構成されている。
【０３０１】
そして、この透明電極Ｙ１１ｂは、第２放電部Ｙ１１ｂ２の行方向と平行な頂辺が、行電極Ｘ１１の第２放電部Ｘ１１ｂ２の行方向と平行な頂辺と放電ギャップｇ３７を介して互いに対向され、第１放電部Ｙ１１ｂ１の左側部の先端側部分が、行電極Ｘ１１の第１放電部Ｘ１１ｂ１の右側部の基端側部分に放電ギャップｇ３８を介して対向され、第１放電部Ｙ１１ｂ１の左側部の基端側部分が、行電極Ｘ１１の第１放電部Ｘ１１ｂ１の右側部の先端側部分に放電ギャップｇ３９を介して対向されている。
【０３０２】
前面ガラス基板と放電空間を挟んで対向する背面ガラス基板（図示せず）の前面ガラス基板と対向する面上に、列方向に延びる第１列電極Ｄ３７，第２列電極Ｄ３８，第３列電極Ｄ３９が、それぞれ所要の間隔を開けて行方向に並設されている。
【０３０３】
この第１列電極Ｄ３７は、放電ギャップｇ３７に対向される位置において列方向に延びている。
【０３０４】
第２列電極Ｄ３８は、行電極Ｙ１１の第１放電部Ｙ１１ｂ１の右側方部分に対向する位置において列方向に帯状に延びる本体部Ｄ３８ａと、放電ギャップｇ３８と対向する位置に向かって、本体部Ｄ３８ａからそれぞれ行方向に沿って左向きに突出する複数の帯状の列電極突出部Ｄ３８ｂとによって構成されている。
【０３０５】
第３列電極Ｄ３９は、行電極Ｘ１１の第１放電部Ｙ１１ｂ１の左側方部分に対向する位置において列方向に帯状に延びる本体部Ｄ３９ａと、放電ギャップｇ３９と対向する位置に向かって、本体部Ｄ３９ａからそれぞれ行方向に沿って右向きに突出する複数の帯状の列電極突出部Ｄ３９ｂとによって構成されている。
【０３０６】
背面ガラス基板の前面ガラス基板と対向する面上には、第１列電極Ｄ３７，第２列電極Ｄ３８，第３列電極Ｄ３９を被覆する誘電体層が形成され、この誘電体層上に、下記のような略格子形状の隔壁Ｗ６が形成されている。
【０３０７】
すなわち、この隔壁Ｗ６は、第３列電極Ｄ３９の列電極本体部Ｄ３９ａに対向する位置において列方向に延びる第１縦壁Ｗ６ａと、第２列電極Ｄ３８の列電極本体部Ｄ３８ａに対向する位置において列方向に延びる第２縦壁Ｗ６ｂと、バス電極Ｘ１１ａ，Ｙ１１ａに対向する部分においてそれぞれ行方向に延びる第１横壁Ｗ６ｃと、バス電極Ｘ１１ａ，Ｙ１１ａの中間位置に対向する部分において第１縦壁Ｗ６ａとこの第１縦壁Ｗ６ａの右側に隣接する第２縦壁Ｗ６ｂとの間に掛け渡された状態で行方向に延びる第２横壁Ｗ４ｄとを備えている。
【０３０８】
この隔壁Ｗ６によって、放電空間が、放電ギャップｇ３７に対向されて赤色の蛍光体層が形成された第１放電セルＣ１１Ｒと、放電ギャップｇ３８に対向されて緑色の蛍光体層が形成された第２放電セルＣ１１Ｇと、放電ギャップｇ３９に対向されて青色の蛍光体層が形成された第３放電セルＣ１１Ｂとに区画されている。
【０３０９】
上記ＰＤＰは、第１放電セルＣ１１Ｒと、この第１放電セルＣ１１Ｒの左側に列方向に並んだ第２放電セルＣ１１Ｇおよび第３放電セルＣ１１Ｂの三個の放電セルによって画素Ｐ１１が構成されている。
【０３１０】
この画素Ｐ１１の行方向と列方向の幅は、第１放電セルＣ１１Ｒ，第２放電セルＣ１１Ｇ，第３放電セルＣ１１Ｂのそれぞれの行方向と列方向の幅、および、隔壁Ｗ６の各放電セル間の幅が、前述した各実施例の場合と同様に設定されることによって、２５インチクラスのＰＤＰにおいてフルＨＤ（１９８０×１０８０）の画面を実現するために必要な画素サイズ３００μｍ×３００μｍが満足される。
【０３１１】
以上のように、上記実施例のＰＤＰによれば、前述した各実施例の場合と同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【０３１２】
さらに、上記実施例のＰＤＰによれば、第２放電セルＣ１１Ｇと第３放電セルＣ１１Ｂの面積を広くとることが出来るので、放電効率の低下を防ぐことが出来、また、行電極Ｘ１１の透明電極Ｘ１１ｂと行電極Ｙ１１の透明電極Ｙ１１ｂが、それぞれ第１放電セルＣ１１Ｒと第２放電セルＣ１１Ｇ，第３放電セルＣ１１Ｂの形成に共用されていることにより、この透明電極Ｘ１１ｂとＹ１１ｂの幅を大きく設定することが出来るので、各透明電極の抵抗が小さくなり、これによって、放電による電圧降下を小さくすることが出来る。
【実施例１２】
【０３１３】
図１６は、この発明の実施形態における第１２の実施例のＰＤＰの一表示ラインの構成を模式的に示す正面図である。
【０３１４】
この第１２実施例のＰＤＰは、図１６において、前面ガラス基板（図示せず）の背面側に、行方向（図１６において左右の方向）に延び列方向（図１６において上下方向）に並設されてそれぞれ表示ラインＬ１２を形成する複数の行電極対（Ｘ１２，Ｙ１２）が形成されて、誘電体層（図示せず）によって被覆されている。
【０３１５】
この行電極対（Ｘ１２，Ｙ１２）を構成する行電極Ｘ１２は、行方向に延びる金属膜からなる帯状のバス電極Ｘ１２ａと、このバス電極Ｘ１２ａに沿った等間隔位置に接続されて、バス電極Ｘ１２ａから対になっている行電極Ｙ１２側に向かって列方向に突出する透明電極Ｘ１２ｂとによって構成されている。
【０３１６】
この透明電極Ｘ１２ｂは、バス電極Ｘ１２ａに接続されて左側辺が先端側に行くほど右寄りとなるように傾斜し頂辺が行方向と平行に延びる略台形状に成形された第１放電部Ｘ１２ｂ１と、この第１放電部Ｘ１２ｂ１の傾斜した左側辺と行方向と平行な頂辺が交わる角部分に接続されて、左および右側部が列方向に対して互いに反対方向に傾斜し先端側の辺が行方向と平行に延びる略三角形状に成形された第２放電部Ｘ１２ｂ２とによって構成されている。
【０３１７】
行電極対（Ｘ１２，Ｙ１２）を構成する行電極Ｙ１２は、行電極Ｘ１２のバス電極Ｘ１２ａとの間に所要の間隔を開けて平行に延びる金属膜からなる帯状のバス電極Ｙ１２ａと、このバス電極Ｙ１２ａに沿って交互に接続されて、バス電極Ｙ１２ａから対になっている行電極Ｘ１２側に向かって列方向に突出する第１透明電極Ｙ１２ｂおよび第２透明電極Ｙ１２ｃとによって構成されている。
【０３１８】
この行電極Ｙ１２の第１透明電極Ｙ１２ｂは、行電極Ｘ１２の第１放電部Ｘ１２ｂ１の行方向と平行な頂辺に対向する位置においてバス電極Ｙ１２ａに接続されていて、行電極Ｘ１２の第１放電部Ｘ１２ｂ１に対向する頂辺が行方向と平行に延び、左側辺が先端側に行くほど左寄りとなるように傾斜した略台形状に成形されている。
【０３１９】
第２透明電極Ｙ１２ｃは、それぞれ、行電極Ｘ１２の隣接する透明電極Ｘ１２ｂの間の位置に対向する位置においてバス電極Ｙ１２ａに接続されて、列方向において中間位置から先端側の部分が第１放電部Ｙ１２ｃ１を構成し、中間位置から基端側の部分が第２放電部Ｙ１２ｃ２を構成しており、第１放電部Ｙ１２ｃ１の右側部が、行電極Ｘ１２の第１放電部Ｘ１２ｂ１の傾斜した左側辺と平行に延びるように先端側に行くほど左寄りに傾斜し、第２放電部Ｙ１２ｃ２の右側部が、行電極Ｘ１２の第２放電部Ｘ１２ｂ２の傾斜した左側辺と平行に延びるように先端側に行くほど右寄りに傾斜した五角形状に成形されている。
【０３２０】
そして、各第１透明電極Ｙ１２ｂは、頂辺が行電極Ｘ１２の第１放電部Ｘ１２ｂ２の行方向と平行な頂辺と放電ギャップｇ４０を介して互いに対向され、第２透明電極Ｙ１２ｃの第１放電部Ｙ１２ｃ１が、行電極Ｘ１２の第１放電部Ｘ１２ｂ１の右寄りに傾斜した左側辺と放電ギャップｇ４１を介して対向され、第２放電部Ｙ１２ｃ２が、行電極Ｘ１２の第２放電部Ｘ１２ｂ２の左寄りに傾斜した左側辺と放電ギャップｇ４２を介して対向されている。
【０３２１】
前面ガラス基板と放電空間を挟んで対向する背面ガラス基板（図示せず）の前面ガラス基板と対向する面上に、列方向に延びる第１列電極Ｄ４０，第２列電極Ｄ４１，第３列電極Ｄ４２が、それぞれ所要の間隔を開けて行方向に並設されている。
【０３２２】
この第１列電極Ｄ４０は、放電ギャップｇ４０に対向する位置において列方向に帯状に延びている。
【０３２３】
第２列電極Ｄ４１は、放電ギャップｇ４１の右側方部分に対向する位置において列方向に帯状に延びる本体部Ｄ４１ａと、放電ギャップｇ４１と対向する位置に向かって、本体部Ｄ４１ａからそれぞれ行方向に沿って左向きに突出する複数の帯状の列電極突出部Ｄ４１ｂとによって構成されている。
【０３２４】
第３列電極Ｄ４２は、放電ギャップｇ４２の左側方部分に対向する位置において列方向に帯状に延びる本体部Ｄ４２ａと、放電ギャップｇ４２と対向する位置に向かって、本体部Ｄ４２ａからそれぞれ行方向に沿って右向きに突出する複数の帯状の列電極突出部Ｄ４２ｂとによって構成されている。
【０３２５】
背面ガラス基板の前面ガラス基板と対向する面上には、第１列電極Ｄ４０，第２列電極Ｄ４１，第３列電極Ｄ４２を被覆する誘電体層が形成され、この誘電体層上に、放電空間を放電セル毎に区画する下記のような略格子状の隔壁Ｗ７が形成されている。
【０３２６】
すなわち、この隔壁Ｗ７は、図１７に示されるように、行電極Ｘ１２の透明電極Ｘ１２ｂおよび行電極Ｙ１２の第１透明電極Ｙ１２ｂと第２透明電極Ｙ１２ｃとの間の部分に対向する位置において列方向に延びる第１縦壁Ｗ７ａと、バス電極Ｘ１２ａ，Ｙ１２ａに対向する部分においてそれぞれ行方向に延びる第１横壁Ｗ７ｂと、第２透明電極Ｙ１２ｃの中央部分に対向する位置において、互いに隣接する第１縦壁Ｗ７ａ間の中間位置までそれぞれ第１縦壁Ｗ７ａから行方向に沿って右方向に突出する第２横壁Ｗ７ｃと、この第２横壁Ｗ７ｃの先端部とバス電極Ｘ１２ａに対向する第１横壁Ｗ７ｂの間を接続する右寄りに傾斜した第２縦壁Ｗ７ｄと、第２横壁Ｗ７ｃの先端部とバス電極Ｙ１２ａに対向する第１横壁Ｗ７ｂの間を接続する左寄りに傾斜した第３縦壁Ｗ７ｅとを備えている。
【０３２７】
そして、この隔壁Ｗ７によって、放電空間が、放電ギャップｇ４０に対向されて赤色の蛍光体層が形成された列方向の幅が大きい五角形状の第１放電セルＣ１２Ｒと、放電ギャップｇ４１に対向されて緑色の蛍光体層が形成された列方向の幅が大きく行方向の幅が小さい台形形状の第２放電セルＣ１２Ｇと、放電ギャップｇ４２に対向されて青色の蛍光体層が形成された列方向の幅が大きく行方向の幅が小さい台形形状の第３放電セルＣ１２Ｂとに区画されている。
【０３２８】
そして、第２放電セルＣ１２Ｇと第３放電セルＣ１２Ｂのそれぞれの列方向の幅とその間の第２横壁Ｗ７ｃの幅の和が、第１放電セルＣ１２Ｒの列方向の幅と等しい値になるように設定されている。
【０３２９】
上記ＰＤＰは、第１放電セルＣ１２Ｒと、この第１放電セルＣ１２Ｒの左側に列方向に並んだ第２放電セルＣ１２Ｇおよび第３放電セルＣ１２Ｂの三個の放電セルによって画素Ｐ１２が構成されている。
【０３３０】
この画素Ｐ１２の行方向の幅Ａ１２と列方向の幅Ｂ１２は、第１放電セルＣ１２Ｒ，第２放電セルＣ１２Ｇ，第３放電セルＣ１２Ｂのそれぞれの行方向と列方向の幅、および、隔壁Ｗ７の各放電セル間の幅が、前述した各実施例の場合と同様に設定されることによって、２５インチクラスのＰＤＰにおいてフルＨＤ（１９８０×１０８０）の画面を実現するために必要な画素サイズ３００μｍ×３００μｍが満足される。
【０３３１】
以上のように、上記実施例のＰＤＰによれば、前述した各実施例の場合と同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【０３３２】
さらに、上記実施例のＰＤＰによれば、画素Ｐ１２を構成する三個の放電セルのそれぞれの長手方向の長さが揃えられることによって、各放電セルにおける放電電流や輝度などが互いにほぼ等しくなるように設定することが出来るようになる。
【実施例１３】
【０３３３】
図１８は、この発明の実施形態における第１３の実施例のＰＤＰの一表示ラインの構成を模式的に示す正面図である。
【０３３４】
この第１３実施例のＰＤＰは、図１８において、前面ガラス基板（図示せず）の背面側に、行方向（図１８において左右の方向）に延び列方向（図１８８において上下方向）に並設されてそれぞれ表示ラインＬ１３を形成する複数の行電極対（Ｘ１３，Ｙ１３）が形成されて、誘電体層（図示せず）によって被覆されている。
【０３３５】
この行電極対（Ｘ１３，Ｙ１３）を構成する行電極Ｘ１３は、行方向に延びる金属膜からなる帯状のバス電極Ｘ１３ａと、このバス電極Ｘ１３ａに沿った等間隔位置に接続されて、バス電極Ｘ１３ａから対になっている行電極Ｙ１３側に向かって列方向に突出する透明電極Ｘ１３ｂとによって構成されている。
【０３３６】
この透明電極Ｘ１３ｂは、バス電極Ｘ１３ａに接続されて左側辺が先端側に行くほど右寄りとなるように傾斜し、右側辺が先端側に行くほど左寄りとなるように傾斜し、頂辺が行方向と平行に延びる略台形状に成形された第１放電部Ｘ１３ｂ１と、この第１放電部Ｘ１３ｂ１の傾斜した左側辺と行方向と平行な頂辺が交わる角部分に接続されて、左および右側部が列方向に対して互いに反対方向に傾斜し先端側の辺が行方向と平行に延びる略三角形状に成形された第２放電部Ｘ１３ｂ２と、第１放電部Ｘ１３ｂ１の傾斜した右側辺と行方向と平行な頂辺が交わる角部分に接続されて第２放電部Ｘ１３ｂ２と同形の第３放電部Ｘ１３ｂ３とによって構成されている。
【０３３７】
行電極対（Ｘ１３，Ｙ１３）を構成する行電極Ｙ１３は、行電極Ｘ１３のバス電極Ｘ１３ａとの間に所要の間隔を開けて平行に延びる金属膜からなる帯状のバス電極Ｙ１３ａと、このバス電極Ｙ１３ａに沿って交互に接続されて、バス電極Ｙ１３ａから対になっている行電極Ｘ１３側に向かって列方向に突出する第１透明電極Ｙ１３ｂおよび第２透明電極Ｙ１３ｃとによって構成されている。
【０３３８】
この行電極Ｙ１３の第１透明電極Ｙ１３ｂは、それぞれ、行電極Ｘ１３の第２放電部Ｘ１３ｂ２と第３放電部Ｘ１３ｂ３の間の位置において、行電極Ｘ１３の第１放電部Ｘ１３ｂ１の行方向と平行な頂辺に対向する位置に位置して、行電極Ｘ１３の第１放電部Ｘ１３ｂ１に対向する頂辺が行方向と平行に延び、左側辺が先端側に行くほど左寄りとなるように傾斜し右側辺が先端側に行くほど右寄りとなるように傾斜した略台形状に成形されている。
【０３３９】
第２透明電極Ｙ１３ｃは、それぞれ、行電極Ｘ１３の隣接する透明電極Ｘ１３ｂの間の位置に位置されて、列方向において中間位置から先端側の右半部分が第１放電部Ｙ１３ｃ１を構成し、中間位置から基端側の右半部分が第２放電部Ｙ１３ｃ２を構成し、中間位置から先端側の左半部分が第３放電部Ｙ１３ｃ３を構成し、中間位置から基端側の左半部分が第４放電部Ｙ１３ｃ４を構成している。
【０３４０】
そして、この第２透明電極Ｙ１３ｃは、第１放電部Ｙ１３ｃ１の右側部が、行電極Ｘ１３の第１放電部Ｘ１３ｂ１の傾斜した左側辺と平行に延びるように先端側に行くほど左寄りに傾斜し、第２放電部Ｙ１３ｃ２の右側部が、行電極Ｘ１３の第２放電部Ｘ１３ｂ２の傾斜した左側辺と平行に延びるように先端側に行くほど右寄りに傾斜し、第３放電部Ｙ１３ｃ３の左側部が、行電極Ｘ１３の第１放電部Ｘ１３ｂ１の傾斜した右側辺と平行に延びるように先端側に行くほど右寄りに傾斜し、第４放電部Ｙ１３ｃ４の左側部が、行電極Ｘ１３の第３放電部Ｘ１３ｂ３の傾斜した右側辺と平行に延びるように先端側に行くほど右寄りに傾斜した六角形状に成形されている。
【０３４１】
そして、各第１透明電極Ｙ１３ｂは、頂辺が行電極Ｘ１３の第１放電部Ｘ１３ｂ１の行方向と平行な頂辺と放電ギャップｇ４３を介して互いに対向され、第２透明電極Ｙ１３ｃの第１放電部Ｙ１３ｃ１が、行電極Ｘ１３の第１放電部Ｘ１３ｂ１の右寄りに傾斜した左側辺と放電ギャップｇ４４を介して対向され、第２放電部Ｙ１３ｃ２が、行電極Ｘ１３の第２放電部Ｘ１３ｂ２の左寄りに傾斜した左側辺と放電ギャップｇ４５を介して対向され、第３放電部Ｙ１３ｃ３が、行電極Ｘ１３の第１放電部Ｘ１３ｂ１の左寄りに傾斜した右側辺と放電ギャップｇ４６を介して対向され、第４放電部Ｙ１３ｃ４が、行電極Ｘ１３の第３放電部Ｘ１３ｂ３の右寄りに傾斜した右側辺と放電ギャップｇ４７を介して対向されている。
【０３４２】
前面ガラス基板と放電空間を挟んで対向する背面ガラス基板（図示せず）の前面ガラス基板と対向する面上に、列方向に延びる第１列電極Ｄ４３，第２列電極Ｄ４４，第３列電極Ｄ４５，第４列電極Ｄ４６，第５列電極Ｄ４７，第６列電極Ｄ４８が、それぞれ所要の間隔を開けて行方向に並設されている。
【０３４３】
この第１列電極Ｄ４３、放電ギャップｇ４３の左半部分に対向する位置において列方向に帯状に延びている。
【０３４４】
第２列電極Ｄ４４は、放電ギャップｇ４４の右側方部分に対向する位置において列方向に帯状に延びる本体部Ｄ４４ａと、放電ギャップｇ４４と対向する位置に向かって、本体部Ｄ４４ａからそれぞれ行方向に沿って左向きに突出する複数の帯状の列電極突出部Ｄ４４ｂとによって構成されている。
【０３４５】
第３列電極Ｄ４５は、放電ギャップｇ４５の左側方部分に対向する位置において列方向に帯状に延びる本体部Ｄ４５ａと、放電ギャップｇ４５と対向する位置に向かって、本体部Ｄ４５ａからそれぞれ行方向に沿って右向きに突出する複数の帯状の列電極突出部Ｄ４５ｂとによって構成されている。
【０３４６】
第４列電極Ｄ４６、放電ギャップｇ４３の右半部分に対向する位置において列方向に帯状に延びている。
【０３４７】
第５列電極Ｄ４７は、放電ギャップｇ４６の右側方部分に対向する位置において列方向に帯状に延びる本体部Ｄ４７ａと、放電ギャップｇ４６と対向する位置に向かって、本体部Ｄ４７ａからそれぞれ行方向に沿って左向きに突出する複数の帯状の列電極突出部Ｄ４７ｂとによって構成されている。
【０３４８】
第６列電極Ｄ４８は、放電ギャップｇ４７の左側方部分に対向する位置において列方向に帯状に延びる本体部Ｄ４８ａと、放電ギャップｇ４７と対向する位置に向かって、本体部Ｄ４８ａからそれぞれ行方向に沿って右向きに突出する複数の帯状の列電極突出部Ｄ４８ｂとによって構成されている。
【０３４９】
背面ガラス基板の前面ガラス基板と対向する面上には、第１列電極Ｄ４３，第２列電極Ｄ４４，第３列電極Ｄ４５，第４列電極Ｄ４６，第５列電極Ｄ４７，第６列電極Ｄ４８を被覆する誘電体層が形成され、この誘電体層上に、放電空間を放電セル毎に区画する下記のような略格子状の隔壁Ｗ８が形成されている。
【０３５０】
すなわち、この隔壁Ｗ８は、図１９に示されるように、行電極Ｘ１３の透明電極Ｘ１３ｂおよび行電極Ｙ１３の第１透明電極Ｙ１３ｂの中央位置に対向する位置において列方向に延びる第１縦壁Ｗ８ａと、行電極Ｙ１３の第２透明電極Ｙ１３ｃの中央位置に対向する位置において列方向に延びる第２縦壁Ｗ８ｂと、バス電極Ｘ１３ａ，Ｙ１３ａに対向する部分においてそれぞれ行方向に延びる第１横壁Ｗ８ｃと、第２透明電極Ｙ１３ｃの中央部分に対向する位置において、第２縦壁Ｗ８ｂとその右側に隣接する第１縦壁Ｗ８ａとの間の中間位置まで第２縦壁Ｗ８ｂから行方向に沿って右方向に突出する第２横壁Ｗ８ｄと、この第２横壁Ｗ８ｄの先端部とバス電極Ｘ１３ａに対向する第１横壁Ｗ８ｃの間を接続する右寄りに傾斜した第３縦壁Ｗ８ｅと、第２横壁Ｗ８ｄの先端部とバス電極Ｙ１３ａに対向する第１横壁Ｗ８ｃの間を接続する右寄りに傾斜した第４縦壁Ｗ８ｆと、第２縦壁Ｗ８ｂとその左側に隣接する第１縦壁Ｗ８ａとの間の中間位置まで第２縦壁Ｗ８ｂから行方向に沿って左方向に突出する第３横壁Ｗ８ｇと、この第３横壁Ｗ８ｇの先端部とバス電極Ｘ１３ａに対向する第１横壁Ｗ８ｃの間を接続する左寄りに傾斜した第５縦壁Ｗ８ｈと、第２横壁Ｗ８ｄの先端部とバス電極Ｙ１３ａに対向する第３横壁Ｗ８ｇの間を接続する左寄りに傾斜した第６縦壁Ｗ８ｉとを備えている。
【０３５１】
そして、この隔壁Ｗ８によって、放電空間が、放電ギャップｇ４３の左半部分に対向されて赤色の蛍光体層が形成された列方向の幅が大きい五角形状の第１放電セルＣ１３Ｒ１と、放電ギャップｇ４４に対向されて緑色の蛍光体層が形成された列方向の幅が大きく行方向の幅が小さい台形形状の第２放電セルＣ１３Ｇ１と、放電ギャップｇ４５に対向されて青色の蛍光体層が形成された列方向の幅が大きく行方向の幅が小さい台形形状の第３放電セルＣ１３Ｂ１と、放電ギャップｇ４３の右半部分に対向されて赤色の蛍光体層が形成された列方向の幅が大きい五角形状の第４放電セルＣ１３Ｒ２と、放電ギャップｇ４６に対向されて緑色の蛍光体層が形成された列方向の幅が大きく行方向の幅が小さい台形形状の第５放電セルＣ１３Ｇ２と、放電ギャップｇ４７に対向されて青色の蛍光体層が形成された列方向の幅が大きく行方向の幅が小さい台形形状の第６放電セルＣ１３Ｂ２とに区画されている。
【０３５２】
そして、第２放電セルＣ１３Ｇ１と第３放電セルＣ１３Ｂ１のそれぞれの列方向の幅とその間の第２横壁Ｗ８ｄの幅の和、および、第５放電セルＣ１３Ｇ２と第６放電セルＣ１３Ｂ２のそれぞれの列方向の幅とその間の第３横壁Ｗ８ｇの幅の和の値が、それぞれ、第１放電セルＣ１３Ｒ１および第４放電セルＣ１３Ｒ２の列方向の幅と等しい値になるように設定されている。
【０３５３】
上記ＰＤＰは、第１放電セルＣ１３Ｒ１と、この第１放電セルＣ１３Ｒ１の左側に列方向に並んだ第２放電セルＣ１３Ｇ１および第３放電セルＣ１３Ｂ１の三個の放電セルによって第１画素Ｐ１３ａが構成され、第４放電セルＣ１３Ｒ２と、この第４放電セルＣ１３Ｒ２の右側に列方向に並んだ第５放電セルＣ１３Ｇ２および第６放電セルＣ１３Ｂ２の三個の放電セルによって第２画素Ｐ１３ｂが構成されている。
【０３５４】
すなわち、第１画素Ｐ１３ａと第２画素Ｐ１３ｂは、それぞれを構成する放電セルが互いに線対称に配置されていて、行方向に交互に配置されている。
【０３５５】
この第１画素Ｐ１３ａと第１画素Ｐ１３ｂのそれぞれの行方向と列方向の幅は、第１放電セルＣ１３Ｒ１，第２放電セルＣ１３Ｇ１，第３放電セルＣ１３Ｂ１，第４放電セルＣ１３Ｒ２，第５放電セルＣ１３Ｇ２，第６放電セルＣ１３Ｂ２のそれぞれの行方向と列方向の幅、および、隔壁Ｗ８の各放電セル間の幅が、前述した各実施例の場合と同様に設定されることによって、２５インチクラスのＰＤＰにおいてフルＨＤ（１９８０×１０８０）の画面を実現するために必要な画素サイズ３００μｍ×３００μｍが満足される。
【０３５６】
以上のように、上記実施例のＰＤＰによれば、前述した各実施例の場合と同様に、高い発光効率を保ちながら従来のＰＤＰでは実現出来なかった一画素の面積の縮小を行うことが出来るので、ＰＤＰの画面を高精細化することが可能になるとともに、例えば２５インチクラスの中型ＰＤＰにおいても、画面の高精細化を実現することが出来るようになる。
【０３５７】
さらに、上記実施例のＰＤＰによれば、画素Ｐ１３ａ，Ｐ１３ｂを構成する三個の放電セルのそれぞれの長手方向の長さが揃えられることによって、各放電セルにおける放電電流や輝度などが互いにほぼ等しくなるように設定することが出来るようになる。
【０３５８】
以上のように、上記各実施例におけるＰＤＰは、行電極対を構成する第１行電極と第２行電極の行電極突出部間の放電ギャップに対向する部分の放電空間にそれぞれ形成されて、それぞれ一個の画素を構成するそれぞれ赤，緑，青の蛍光体層が形成された第１放電セル，第２放電セル，第３放電セルの三個の放電セルのうち、第１放電セルの行方向の幅と列方向の幅のうちの一方の幅が他方の幅よりも大きくなるように設定され、第２放電セルと第３放電セルの第１放電セルの長手方向と平行な方向の幅が、第１放電セルの長手方向の幅よりも小さくなるように設定されて、この第２放電セルと第３放電セルが第１放電セルの長手方向の側方部にこの長手方向に沿って並設される位置に配置されていることによって、従来のＰＤＰと比べて、一画素のサイズが大幅に小さくなるので、例えば、２５インチクラスのＰＤＰにおいてフルＨＤ表示の高精細画面を実現するために必要な各画素の面積を満足することが可能になり、従って、高い発光効率を保ちながら従来のＰＤＰでは実現出来なかった一画素の面積の縮小を行って、ＰＤＰの画面の高精細化を図ったり、または、中型クラスのＰＤＰにおいてもフルＨＤ表示等の画面の高精細化を実現することが出来るようになる。
【図面の簡単な説明】
【０３５９】
【図１】従来のプラズマディスプレイパネルの構成を示す正面図である。
【図２】従来のＰＤＰの一画素における放電セルの構成を示す説明図である。
【図３】この発明の実施形態における第１実施例を示す正面図である。
【図４】同実施例の一画素における放電セルの構成を示す説明図である。
【図５】この発明の実施形態における第２実施例を示す正面図である。
【図６】この発明の実施形態における第３実施例を示す正面図である。
【図７】この発明の実施形態における第４実施例を示す正面図である。
【図８】この発明の実施形態における第５実施例を示す正面図である。
【図９】この発明の実施形態における第６実施例を示す正面図である。
【図１０】この発明の実施形態における第７実施例を示す正面図である。
【図１１】同実施例の隔壁構造を示す正面図である。
【図１２】この発明の実施形態における第８実施例を示す正面図である。
【図１３】この発明の実施形態における第９実施例を示す正面図である。
【図１４】この発明の実施形態における第１０実施例を示す正面図である。
【図１５】この発明の実施形態における第１１実施例を示す正面図である。
【図１６】この発明の実施形態における第１２実施例を示す正面図である。
【図１７】同実施例の隔壁構造を示す正面図である。
【図１８】この発明の実施形態における第１３実施例を示す正面図である。
【図１９】同実施例の隔壁構造を示す正面図である。
【符号の説明】
【０３６０】
Ａ１                      …行方向の幅
Ｂ１                      …列方向の幅
Ｃ１Ｒ〜Ｃ６Ｒ，Ｃ７Ｒ１，Ｃ８Ｒ，Ｃ９Ｒ１，Ｃ１０Ｒ，Ｃ１１Ｒ，Ｃ１２Ｒ，Ｃ１３Ｒ１              …第１放電セル  
Ｃ７Ｒ２，Ｃ９Ｒ２，Ｃ１２Ｒ，Ｃ１３Ｒ２
…第４放電セル（第１放電セル）
Ｃ１Ｇ〜Ｃ６Ｇ，Ｃ７Ｇ１，Ｃ８Ｇ，Ｃ９Ｇ１，Ｃ１０Ｇ，Ｃ１１Ｇ，Ｃ１２Ｇ，Ｃ１３Ｇ１              …第２放電セル  
Ｃ７Ｇ２，Ｃ９Ｇ２，Ｃ１２Ｇ，Ｃ１３Ｇ２
…第５放電セル（第２放電セル）
Ｃ１Ｂ〜Ｃ６Ｂ，Ｃ７Ｂ１，Ｃ８Ｂ，Ｃ９Ｂ１，Ｃ１０Ｂ，Ｃ１１Ｂ，Ｃ１２Ｂ，Ｃ１３Ｂ１              …第３放電セル  
Ｃ７Ｂ２，Ｃ９Ｂ２，Ｃ１２Ｂ，Ｃ１３Ｂ２
…第６放電セル（第３放電セル）
Ｄ１，Ｄ４，Ｄ７，Ｄ１０，Ｄ１３，Ｄ１６，Ｄ１９，Ｄ２５，Ｄ２８，Ｄ３４，Ｄ３７，Ｄ４０，Ｄ４３  …第１列電極（第１の列電極）
Ｄ２，Ｄ５，Ｄ８，Ｄ１１，Ｄ１４，Ｄ１７，Ｄ２０，Ｄ２６，Ｄ２９，Ｄ３５，Ｄ３８，Ｄ４１，Ｄ４４  …第２列電極（第２の列電極）
Ｄ３，Ｄ６，Ｄ９，Ｄ１２，Ｄ１５，Ｄ１８，Ｄ２１，Ｄ２７，Ｄ３０，Ｄ３６，Ｄ３９，Ｄ４２，Ｄ４５  …第３列電極（第３の列電極）
Ｄ２２，Ｄ３１，Ｄ４６    …第４列電極（第１の列電極）
Ｄ２３，Ｄ３２，Ｄ４７    …第５列電極（第２の列電極）
Ｄ２４，Ｄ３３，Ｄ４８    …第６列電極（第３の列電極）
Ｘ１〜Ｘ１３              …行電極（第１行電極）
Ｘ１ａ〜Ｘ１３ａ          …バス電極（行電極本体部）
Ｘ１ｂ，Ｘ７ｂ，Ｘ９ｂ    …透明電極（行電極突出部，第１行電極突出部）
Ｘ１ｃ，Ｘ７ｃ，Ｘ９ｃ    …透明電極（行電極突出部，第２行電極突出部）
Ｘ２ｂ〜Ｘ６ｂ，Ｘ８ｂ，Ｘ１０ｂ〜Ｘ１３ｂ
…透明電極（行電極突出部）
Ｙ１〜Ｙ１３              …行電極（第２行電極）
Ｙ１ａ〜Ｙ１３ａ          …バス電極（行電極本体部）
Ｙ１ｂ，Ｙ１０ｂ，Ｙ１２ｂ，Ｙ１３ｂ
…透明電極（行電極突出部，第１行電極突出部）
Ｙ１ｃ，Ｙ１０ｃ，Ｙ１２ｃ，Ｙ１３ｃ
…透明電極（行電極突出部，第２行電極突出部）
Ｙ２ｃ〜Ｙ９ｃ，Ｙ１１ｃ  …透明電極（行電極突出部）
Ｗ１〜Ｗ８                …隔壁
ｇ１，ｇ４，ｇ７，ｇ１０，ｇ１３，ｇ１６，ｇ１９，ｇ２５，ｇ２８，ｇ３４，ｇ３７，ｇ４０，ｇ４３  …第１放電ギャップ（第１の放電ギャップ）
ｇ２，ｇ５，ｇ８，ｇ１１，ｇ１４，ｇ１７，ｇ２０，ｇ２６，ｇ２９，ｇ３５，ｇ３８，ｇ４１，ｇ４４  …第２放電ギャップ（第２の放電ギャップ）
ｇ３，ｇ６，ｇ９，ｇ１２，ｇ１５，ｇ１８，ｇ２１，ｇ２７，ｇ３０，ｇ３６，ｇ３９，ｇ４２，ｇ４５  …第３放電ギャップ（第３の放電ギャップ）
ｇ２２，ｇ３１            …第４放電ギャップ（第１の放電ギャップ）
ｇ２３，ｇ３２，ｇ４６    …第５放電ギャップ（第２の放電ギャップ）
ｇ２４，ｇ３３，ｇ４７    …第６放電ギャップ（第３の放電ギャップ）
Ｐ１〜Ｐ６，Ｐ８，Ｐ１０〜Ｐ１２
…画素
Ｐ７ａ，Ｐ９ａ，１３ａ    …第１画素（画素）
Ｐ７ｂ，Ｐ９ｂ，１３ｂ    …第２画素（画素）
Ｚ                        …光吸収層
【図１】
2006351239.tif 000003
【図２】
2006351239.tif 000004
【図３】
2006351239.tif 000005
【図４】
2006351239.tif 000006
【図５】
2006351239.tif 000007
【図６】
2006351239.tif 000008
【図７】
2006351239.tif 000009
【図８】
2006351239.tif 000010
【図９】
2006351239.tif 000011
【図１０】
2006351239.tif 000012
【図１１】
2006351239.tif 000013
【図１２】
2006351239.tif 000014
【図１３】
2006351239.tif 000015
【図１４】
2006351239.tif 000016
【図１５】
2006351239.tif 000017
【図１６】
2006351239.tif 000018
【図１７】
2006351239.tif 000019
【図１８】
2006351239.tif 000020
【図１９】
2006351239.tif 000021